(57)【要約】【課題】金融機関店舗における一日の業務の締め作業時に未処理の入出金操作を確実且つ簡便に検出して適切な管理を可能とする。【解決手段】本発明の一態様に係る貨幣管理システムは、金融機関店舗内の在高管理を行う出納機と、出納機と相互に通信し得るように接続可能であり、かつ、単体で在高管理が可能な貨幣管理装置と、を備える貨幣管理システムであって、出納機は、貨幣管理装置に収納されている貨幣の在高である貨幣管理装置在高を含む在高の管理を行う在高管理手段と、貨幣管理装置における収納／取出処理を実行しようとする場合に、収納／取出処理の内容を特定するための連携処理情報を作成する連携処理情報作成手段と、貨幣管理装置在高を含む在高の管理を行い得るように、貨幣管理装置との間で連携処理情報を送受信する連携処理情報送受信手段と、締め作業時に、収納／取出処理の処理済又は未処理を示すステータスが未処理である連携処理情報を検索して特定する連携処理情報検索手段と、を備えているものである。【選択図】図２３
2010122891.tif 000002
【特許請求の範囲】
【請求項１】
金融機関店舗内の在高管理を行う出納機と、前記出納機と相互に通信し得るように接続可能であり、かつ、単体で在高管理が可能な貨幣管理装置と、を備える貨幣管理システムであって、
前記出納機は、
前記貨幣管理装置に収納されている貨幣の在高である貨幣管理装置在高を含む在高の管理を行う在高管理手段と、
前記貨幣管理装置における収納／取出処理を実行しようとする場合に、前記収納／取出処理の内容を特定するための連携処理情報を作成する連携処理情報作成手段と、
前記貨幣管理装置在高を含む在高の管理を行い得るように、前記貨幣管理装置との間で前記連携処理情報を送受信する連携処理情報送受信手段と、
締め作業時に、前記収納／取出処理の処理済又は未処理を示すステータスが未処理である前記連携処理情報を検索して特定する連携処理情報検索手段と、
を備えていることを特徴とする貨幣管理システム。
【請求項２】
前記在高管理手段が管理を行う在高には、前記出納機に収納されている貨幣の在高である機械在高と、前記金融機関店舗内の本金庫内に収納されている貨幣の在高である在庫在高と、人手による管理の下に置かれている貨幣の在高である手持ち在高とが含まれることを特徴とする請求項１に記載の貨幣管理システム。
【請求項３】
前記手持ち在高には、前記貨幣管理装置在高が含まれることを特徴とする請求項２に記載の貨幣管理システム。
【請求項４】
前記出納機は、締め作業時に、前回の締め作業以後に実行された前記収納／取出処理を含む総ての取引処理についての連携処理情報を集計して記録保存した後、前記出納機及び前記貨幣管理装置の所定の作業領域に一時保存されていた前記連携処理情報を消去するデータクリア処理を実行するデータクリア処理手段をさらに備えることを特徴とする請求項１乃至３のいずれかに記載の貨幣管理システム。
【請求項５】
前記データクリア処理の実行開始が前記出納機から前記貨幣管理装置に通知されると、前記貨幣管理装置は、所定期間に前記貨幣管理装置において実行された前記収納／取出処理を含む総ての取引処理についての前記連携処理情報を集計して電子ジャーナルファイルを作成し、前記電子ジャーナルファイルは、前記出納機に転送されることを特徴とする請求項４に記載の貨幣管理システム。
【請求項６】
前記出納機は、前記電子ジャーナルファイルを取得した後、前記貨幣管理装置の所定の作業領域に一時保存されていた前記連携処理情報を遠隔操作により消去する消去手段をさらに備えることを特徴とする請求項５に記載の貨幣管理システム。
【請求項７】
前記データクリア処理手段は、前記ステータスが未処理である前記連携処理情報の存在に拘わらず、前記データクリア処理を強制続行することが可能であり、前記出納機は、前記データクリア処理の強制続行を行った場合に、前記強制続行を選択したことについての証拠印字を行って出力する印字手段をさらに備えることを特徴とする請求項４乃至６のいずれかに記載の貨幣管理システム。
【請求項８】
前記出納機は、実際の前記収納／取出処理の処理状態に拘わらず、前記連携処理情報の前記ステータスを変更可能であるステータス変更手段をさらに備えることを特徴とする請求項１乃至７のいずれかに記載の貨幣管理システム。
【請求項９】
金融機関店舗内の在高管理を行う出納機と、前記出納機と相互に通信し得るように接続可能であり、かつ、単体で在高管理が可能な貨幣管理装置と、を備える貨幣管理システムにおける貨幣管理方法であって、
前記出納機が管理する在高には、前記貨幣管理装置に収納されている貨幣の在高である貨幣管理装置在高が含まれ、
前記貨幣管理装置における収納／取出処理を実行しようとする場合に、前記収納／取出処理の内容を特定する連携処理情報を前記出納機で作成する過程と、
前記貨幣管理装置在高を含む在高の前記出納機による管理を行い得るように、前記出納機と前記貨幣管理装置との間で前記連携処理情報を送受信する過程と、
締め作業時に、前記収納／取出処理の処理済又は未処理を示すステータスが未処理である前記連携処理情報を検索して特定する過程と、
を備えることを特徴とする貨幣管理方法。
【発明の詳細な説明】
【技術分野】
【０００１】
本発明は、相互に通信可能に構成された出納機（貨幣管理本体機）と貨幣管理装置（貨幣管理端末機）とを備えた貨幣管理システム及びその貨幣管理方法に関する。
【背景技術】
【０００２】
実用新案登録２５９９２３２号公報には、現金管理装置が開示されている。当該現金管理装置では、金種ごとに収納庫が設けられ、また、収納庫ごとに重量測定手段が設けられている。当該重量測定手段によって、金種ごとの重量が測定され、当該重量から金種ごとの棒金の本数が計算される。計算された棒金の本数は、測定日時と共に記憶され、表示される。重量の測定、棒金の本数の計算及び記憶は、現金管理装置が操作される度に（データ変更がある度に）行われる。
【０００３】
このような装置は、入金の際に出納機内の現金が多くなって入らなくなったときに、利用されている。そして、その出納機内の現金が少なくなったときに、このような装置から逆に現金が取り出され、出納機に補充されている。
【０００４】
このような装置を用いる場合、行員は、入出金を操作する時に、入金金額乃至出金金額を台帳等に記入する。
【０００５】
しかしながら、台帳に記入された入出金額と実際の入出金額とが異なっていると、問題が生じる。装置側では、実際の入出金額しか測定できないため、台帳に記入された入出金額が正しいかどうか精査できない。更に、このような装置は、誰が入出金の操作を行ったのかについて、管理を行っていない（行員であれば、誰でも収納庫を開閉することができる）。従って、例えば、行員が入出金額をごまかして不正を行うということが理論上可能である。
【０００６】
また、このような装置では、出納機と貨幣管理装置との在高の管理が連動されていないため、それらを総合的に管理することが困難である。
【０００７】
一方、複数の自動取引装置の現金残高を集計することができる現金管理システムが、特許第２７２６５５０号公報に記載されている。この現金管理システムでは、複数の自動取引装置の在高を総合的に管理することができる。
【０００８】
しかし、この特許に記載された現金管理システムでは、複数の自動取引装置と現金整理機とは通信可能に接続されてはおらず、システム全体としての総合的な在高管理を行うために、記憶手段及び出力手段を有する装填庫を複数の自動取引装置と現金整理機とに着脱して回って在高情報を収集しなければならず、その作業がかなり煩雑且つ面倒であり、各在高情報を連動させて管理するために相当な所要時間が費やされると考えられる。
【特許文献１】実用新案登録２５９９２３２号公報
【特許文献２】特許第２７２６５５０号公報
【発明の開示】
【発明が解決しようとする課題】
【０００９】
上述のように、従来の技術においては、システムを構成する出納機（貨幣管理本体機）及び貨幣管理装置（貨幣管理端末機）の在高情報を容易に連動又は連携させて金融機関内の総合的な在高管理を行うことができる貨幣管理システムは提供されていなかったというのが実情である。
【００１０】
本発明は、斯かる課題を解決するためになされたものであり、システムを構成する出納機が貨幣管理装置の在高情報を受け取ることにより正確且つ総合的な金融機関内の在高管理を可能とする貨幣管理システム及び貨幣管理方法を提供することを目的とする。
【課題を解決するための手段】
【００１１】
本発明の一態様に係る貨幣管理システムによれば、
金融機関店舗内の在高管理を行う出納機と、上記出納機と相互に通信し得るように接続可能であり、かつ、単体で在高管理が可能な貨幣管理装置と、を備える貨幣管理システムであって、
上記出納機は、
上記貨幣管理装置に収納されている貨幣の在高である貨幣管理装置在高を含む在高の管理を行う在高管理手段と、
上記貨幣管理装置における収納／取出処理を実行しようとする場合に、上記収納／取出処理の内容を特定するための連携処理情報を作成する連携処理情報作成手段と、
上記貨幣管理装置在高を含む在高の管理を行い得るように、上記貨幣管理装置との間で上記連携処理情報を送受信する連携処理情報送受信手段と、
締め作業時に、上記収納／取出処理の処理済又は未処理を示すステータスが未処理である上記連携処理情報を検索して特定する連携処理情報検索手段と、
を備えていることを特徴とする貨幣管理システムが提供される。
【００１２】
本発明の一態様に係る上記貨幣管理システムにおいて、上記在高管理手段が管理を行う在高には、上記出納機に収納されている貨幣の在高である機械在高と、上記金融機関店舗内の本金庫内に収納されている貨幣の在高である在庫在高と、人手による管理の下に置かれている貨幣の在高である手持ち在高とが含まれるものとするとよい。
【００１３】
また、上記手持ち在高には、上記貨幣管理装置在高が含まれるものとするとよい。
【００１４】
また、上記出納機は、締め作業時に、前回の締め作業以後に実行された上記収納／取出処理を含む総ての取引処理についての連携処理情報を集計して記録保存した後、上記出納機及び上記貨幣管理装置の所定の作業領域に一時保存されていた上記連携処理情報を消去するデータクリア処理を実行するデータクリア処理手段をさらに備えるものとするとよい。
【００１５】
また、上記データクリア処理の実行開始が上記出納機から上記貨幣管理装置に通知されると、上記貨幣管理装置は、所定期間に上記貨幣管理装置において実行された上記収納／取出処理を含む総ての取引処理についての上記連携処理情報を集計して電子ジャーナルファイルを作成し、上記電子ジャーナルファイルは、上記出納機に転送されるものとするとよい。
【００１６】
また、上記出納機は、上記電子ジャーナルファイルを取得した後、上記貨幣管理装置の所定の作業領域に一時保存されていた上記連携処理情報を遠隔操作により消去する消去手段をさらに備えるものとするとよい。
【００１７】
また、上記データクリア処理手段は、上記ステータスが未処理である上記連携処理情報の存在に拘わらず、上記データクリア処理を強制続行することが可能であり、上記出納機は、上記データクリア処理の強制続行を行った場合に、上記強制続行を選択したことについての証拠印字を行って出力する印字手段をさらに備えるものとするとよい。
【００１８】
また、上記出納機は、実際の上記収納／取出処理の処理状態に拘わらず、上記連携処理情報の上記ステータスを変更可能であるステータス変更手段をさらに備えるものとするとよい。
【００１９】
本発明の一態様に係る貨幣管理方法によれば、
金融機関店舗内の在高管理を行う出納機と、上記出納機と相互に通信し得るように接続可能であり、かつ、単体で在高管理が可能な貨幣管理装置と、を備える貨幣管理システムにおける貨幣管理方法であって、
上記出納機が管理する在高には、上記貨幣管理装置に収納されている貨幣の在高である貨幣管理装置在高が含まれ、
上記貨幣管理装置における収納／取出処理を実行しようとする場合に、上記収納／取出処理の内容を特定する連携処理情報を上記出納機で作成する過程と、
上記貨幣管理装置在高を含む在高の上記出納機による管理を行い得るように、上記出納機と上記貨幣管理装置との間で上記連携処理情報を送受信する過程と、
締め作業時に、上記収納／取出処理の処理済又は未処理を示すステータスが未処理である上記連携処理情報を検索して特定する過程と、
を備えることを特徴とする貨幣管理方法が提供される。
【発明の効果】
【００２０】
本発明は、システムを構成する出納機及び貨幣管理装置の在高情報を容易に連動又は連携させて正確且つ総合的な在高管理を可能とする貨幣管理システム及び貨幣管理方法を提供することができる。
【発明を実施するための最良の形態】
【００２１】
以下、本発明に係る貨幣管理システム及び貨幣管理方法の実施の一形態について、図面を参照しながら説明する。
【００２２】
図１は、本発明の実施の一形態を示すシステム概略図である。図１に示す貨幣管理システム（貨幣処理システム）３００は、相互に通信可能に構成された出納機１００と貨幣管理装置２００（現金バスとも呼ばれる）とを備えている。出納機１００が、貨幣管理本体機（貨幣処理本体機）として機能し、貨幣管理装置２００が、貨幣管理端末機（貨幣処理端末機）として機能するようになっている。出納機１００及び貨幣管理装置２００は、それぞれ、上位の貨幣管理装置（貨幣処理装置）及び下位の貨幣管理装置（貨幣処理装置）、として理解されてもよい。また、１台の出納機１００に対して、複数台の貨幣管理装置２００が通信可能に設けられてもよい。
【００２３】
図２は、出納機１００の外観を示す斜視図である。図３は、出納機１００の機能ブロック図である。
【００２４】
図２に示すように、出納機１００は、束紙幣を処理する束紙幣処理部Ｐ１及びバラ紙幣を処理するバラ紙幣処理部Ｐ２からなる紙幣処理装置１１と、バラ硬貨を処理するバラ硬貨処理装置１２と、包装硬貨を処理する包装硬貨処理装置１３と、を備えている。図２において、２１は束紙幣を出金する束紙幣出金口、２２はバラ紙幣を出金するバラ紙幣出金口、２３は包装硬貨を出金する包装硬貨出金口、２４はバラ硬貨を出金するバラ硬貨出金口、である。
【００２５】
また、この出納機１００は、現金以外の有価証券類を投入する現金外ボックス１４、出納機１００全体を制御する制御部１５、制御部１５に各種の指示を与えるキーボード式操作部１６、制御部１５による指示に従って印字処理を行う外部プリンタ１８、を備えている。外部プリンタ１８が、レシート発行装置及び／又は認証印字プリンタとして機能するようになっている。本実施の形態では、許可者に対して操作情報を提供するために、操作情報に対応する４桁の数字が伝票に印字されるようになっている。
【００２６】
制御部１５は、その一部として、一般行員及び管理者とのインタフェースとしての表示部１５ａと、一般行員及び管理者が所持するＩＤカードの内容を読み取るＩＤカードリーダ１５ｂと、を備えている。本実施の形態においてはＩＤカードリーダが用いられているが、これに限られず、公知の顔認証端末や、指に流れる静脈を認証するもの等、使用者本人を認証するものであれば何を用いても構わない。
【００２７】
また、図３に示すように、この制御部１５は、各種プログラム及びデータを格納したＲＯＭ１５ｄ、プログラムのロード領域やプログラム実行時における作業領域となるＲＡＭ１５ｅ、フレキシブルディスクに対してデータを読み書きするフレキシブルディスクドライブ１５ｆ、各種プログラム及びデータを記憶したハードディスクドライブ１５ｇ、ＲＯＭ１５ｄやハードディスクドライブ１５ｇ内に格納されたプログラムを実行等して出納機１００全体を制御する制御本体部１５ｃ、を備えている。
【００２８】
また、図３に示すように、出納機１００は、貨幣管理装置２００との間でデータ通信を行う通信インタフェース（通信ＩＦ）１９を備えている。これにより、出納機１００（貨幣管理本体機）と貨幣管理装置２００（貨幣管理端末機）とは、相互に通信可能となっている。
【００２９】
図４は、貨幣管理装置２００の外観を示す斜視図である。図４に示すように、貨幣管理装置２００は、１万円紙幣を収納保管する第１紙幣収納ドロア２１１と、その他の金種の紙幣を収納保管する第２紙幣収納ドロア２１２と、１００円と１０円と１円の硬貨を収納保管する第１硬貨収納ドロア２１３と、５００円と５０円と５円の硬貨を収納保管する第２硬貨収納ドロア２１４と、現金以外の有価証券類も投入することができる予備収納ドロア２１５と、を有している。
【００３０】
また、この貨幣管理装置２００は、貨幣管理装置２００の全体を制御する制御装置２２５（制御手段）と、制御装置２２５に各種の指示を与えるキーボード式操作部２２６と、使用者（営業員及び管理者）とのインタフェースとしての表示部２２７と、収納庫に貨幣を入出金する操作を行う使用者が所持するＩＤカードの内容を読み取るＩＤカードリーダ２２８と、を備えている。
【００３１】
ＩＤカードの内容、即ち、ＩＤカードに記憶されたＩＤ情報が、使用者情報の一態様であり、ＩＤカードリーダ２２８が、使用者情報取得手段の一態様である。図４の例では、接触式のＩＤカードリーダ２２８が採用されているが、非接触式のカードリーダが採用されてもよい。また、ＩＤカードリーダの他に、出納機１００と同様、顔認証や静脈認証等を利用するための機器が採用されてもよい。
【００３２】
図５は、貨幣管理装置２００の第２紙幣収納ドロア２１２の斜視図である。図５に示すように、第２紙幣収納ドロア２１２には、３種類の金種の紙幣の束が、規則正しく収納保管される。図５の例では、第２紙幣収納ドロア２１２の内部に、４つの紙幣保管容器２２１〜２２４が配置されており、各容器ごとに、収納保管される紙幣の金種が決められている。また、１束１００枚の束紙幣を１０束ごとに束ねた大束紙幣が収納保管されるようになっていてもよい。
【００３３】
図６は、貨幣管理装置２００の第２硬貨収納ドロア２１４の斜視図である。図６に示すように、第２硬貨収納ドロア２１４には、３種類の金種の棒金状態の硬貨が、規則正しく収納保管される。図６の例では、第２硬貨収納ドロア２１４の内部に、３つの硬貨保管容器２４１〜２４３が配置されており、各容器ごとに、収納保管される硬貨の金種が決められている。
【００３４】
硬貨保管容器２４１の底面には、硬貨保管容器２４１内に収納保管される硬貨の重量を測定するための測定手段として、ロードセル２６１が設けられている。ロードセル２６１の構成の詳細については十分に知られていると思われるので、ここでの説明は省略する。他の硬貨保管容器２４２、２４３、並びに、紙幣保管容器２２１〜２２４についても、同様にロードセル２６１が設けられている。このような構成によって、各金種ごとに、収納保管されている貨幣の重量が測定されるようになっている。
【００３５】
その他、図７は、予備収納庫（予備ドロア）２１５の斜視図である。図７に示すように、予備収納庫２１５には、硬貨予備収納部２５１及び紙幣予備収納部２５２の他に、現金以外の有価証券類を投入することができる空スペース２５３が設けられている。
【００３６】
続いて、図８は、貨幣管理装置２００の制御装置２２５の機能ブロック図である。制御装置２２５は、各種プログラム及びデータを格納したＲＯＭ２２５ｄ、プログラムのロード領域やプログラム実行時における作業領域となるＲＡＭ２２５ｅ、各種プログラム及びデータを記憶したハードディスクドライブ２２５ｇ、ＲＯＭ２２５ｄやハードディスクドライブ２２５ｇ内に格納されたプログラムを実行等して貨幣管理装置２００全体を制御する演算制御部２２５ｃ、を備えている。
【００３７】
演算制御部２２５ｃ（演算手段）は、各金種ごとに対応して設けられたロードセル２６１（重量測定手段）に接続されており、ロードセル２６１の出力値に基づいて、収納保管された貨幣の重量に対応する貨幣の金額を算出できるようになっている。そして、ハードディスクドライブ２２５ｇが、演算制御部２２５ｃ（記憶手段）によって算出された貨幣の金額を記憶するようになっている。
【００３８】
本実施の形態では、ここで、ＩＤカードリーダ２２８が読み取るＩＤ情報（使用者情報）も、算出された貨幣の金額（入出金操作後の収納保管金額）と対応させた態様で、ハードディスクドライブ２２５ｇに記憶されるようになっている。
【００３９】
本実施の形態では、更に、キーボード式操作部２２６（入力手段）において、収納庫に対して入出金される貨幣の金額が入力されるようになっており、演算制御部２２５ｃが、精査手段として、ロードセル２６１の出力値から算出された金額と、キーボード式操作部２２６で入力された金額と、を精査できるようになっている。
【００４０】
また、図８に示すように、貨幣管理装置２００は、出納機１００との間でデータ通信を行う通信インタフェース（通信ＩＦ）２２９を備えている。これにより、貨幣管理装置２００（貨幣管理端末機）と出納機１００（貨幣管理本体機）とは、相互に通信可能となっている。
【００４１】
また、本実施の形態の制御装置２２５は、ロック制御手段として、各ドロア２１１〜２１５に設けられた開閉電磁ロック２１１ｍ〜２１５ｍに接続されていて、各ドロア２１１〜２１５を、貨幣の入出金が可能な開状態と貨幣の入出金が不可能なロック状態との間で切替えることができるようになっている。
【００４２】
この切替制御の条件として、本実施の形態では、使用者照合が採用されている。具体的には、例えば、予め許可者として設定された使用者のＩＤ情報（使用者情報）が、ハードディスクドライブ２２５ｇに記憶されていて、ＩＤカードリーダ２２８（使用者情報取得手段）が読み取ったＩＤ情報が、使用者識別手段としての演算制御部２２５ｃによって、許可者のＩＤ情報に対して照合されるようになっている。照合の結果がＹＥＳである、即ち、ＩＤカードリーダ２２８が読み取ったＩＤ情報が、予め許可者として設定された使用者のＩＤ情報に合致する場合にのみ、制御装置２２５は、開閉電磁ロック２１１ｍ〜２１５ｍを制御して、貨幣の収納／取出が可能な開状態とすることができる。
【００４３】
別の切替制御の条件として、本実施の形態では、使用者照合に加えて、連携情報の照合も採用され得る。連携情報とは、例えば入出金操作ごとに設定される操作情報であり、通常は入出金の金種及び金額のデータであるが、入出金操作の手順に関するデータを含むこともあり得る。連携情報の照合の具体的態様としては、例えば、予め許可操作として設定された連携情報が、出納機１００から通信機能を利用して例えばＲＡＭ２２５ｅに転送記憶され、一方、使用者によって、連携情報に対応する４桁の連携番号が、キーボード式操作部２２６（連携情報取得手段）で入力され得る。そして、入力された４桁の連携番号の情報が、操作識別手段としての演算制御部２２５ｃによって、転送記憶された連携情報に対して照合され得る。この場合、照合の結果がＹＥＳである、即ち、入力された４桁の連携番号が、転送記憶された許可操作の連携情報に合致する場合にのみ、制御装置２２５は、開閉電磁ロック２１１ｍ〜２１５ｍを制御して、貨幣の入出金が可能な開状態とすることができる。この態様においては、好適なことに、入出金操作の具体的内容に即して、開閉電磁ロック２１１ｍ〜２１５ｍを個別に制御することが可能である。具体的には、入出金対象である金種を収納するドロアのみを、開状態に切り替えることができる。更には、複数のドロアが同時には開状態にならないように、各ドロアを順に開状態に切り換えるという制御態様を採用することも可能である。
【００４４】
その他、本実施の形態では、貨幣管理装置２００（貨幣管理端末機）と出納機１００（貨幣管理本体機）とが相互に通信可能であることを利用して、更に以下のような構成が採用されている。
【００４５】
出納機１００（貨幣管理本体機）の制御部１５は、通信機能を利用して貨幣管理装置２００（貨幣管理端末機）の在高データを確認及び／又は精査するための在高データ遠隔確認部として機能できるように構成されている。具体的には、出納機１００（貨幣管理本体機）の制御部１５が、通信インタフェース（通信ＩＦ）１９及び通信インタフェース（通信ＩＦ）２２９を介して、精査手段である演算制御部２２５ｃを制御できるようになっている。
【００４６】
その他、各ドロア２１１〜２１５の開状態が所定時間以上継続している際に報知信号を出力する報知装置（アラーム装置）２８０が更に設けられている。
【００４７】
また、図８における鍵検知部２９０とは、貨幣管理装置２００の電源ｏｆｆ時にドロアの開閉が行われる際に、そのことを検知するセンサ装置である。これは、少なくとも当該技術分野においては新しい技術であるが、本発明の概念とは直接には関連しないので、ここでの説明は省略する。
【００４８】
次に、以上に説明した貨幣処理システムの動作例について、フローチャートを参照しながら説明する。
【００４９】
図９は、出納機１００の側での入出金操作準備プロセスの一例のフローチャートである。まず、ＩＤカードリーダ１５ｂによって、出納機１００の操作者のＩＤ情報が読み取られる（ＳＴＥＰ１１）。当該ＩＤ情報に基づいて、その操作者が、出納機１００の操作許可者であるか否かが識別される（ＳＴＥＰ１２）。
【００５０】
操作許可者であれば、出納機１００の操作メニューが表示部１５ａに表示される（ＳＴＥＰ１３）。その表示を見ながら、操作者（操作許可者）は、キーボード式操作部１６を用いて処理内容を入力する（ＳＴＥＰ１４）。ここで、連携取出／収納を選択する。また、本例では、セキュリティの一層の向上のために、暗証番号入力を求める（ＳＴＥＰ１５）。
【００５１】
暗証番号の照合の後、操作者（操作許可者）は、キーボード式操作部１６を用いて、入出金操作の詳細を入力する（ＳＴＥＰ１６）。具体的には、入出金対象の金種及び束数あるいは本数のデータが入力される。その後、操作者による入力完了キーの操作によって、入力完了が検知される（ＳＴＥＰ１７）。出納機１００は、入力された入出金操作の詳細を含む操作情報としての連携処理情報（連携処理キューとも呼ばれる）を作成し、その連携処理情報に対して、連携処理情報の一部としての連携番号（操作番号と呼ぶこともある）を発行し、当該連携番号と実際の入出金操作の詳細な内容との対応付けを含む連携処理情報をハードディスク１５ｇに記憶するとともに、その連携処理情報の入出金操作が現金管理装置（貨幣管理装置）２００における入出金操作を含むものである場合には、担当者が現金管理装置２００の操作権限を有するものであれば、通信回線を介してオープン要求（後述）を送信する。これにより、現金管理装置２００は、操作入力画面を連携番号入力画面までスキップさせることができる。尚、ここでは、連携処理情報は、現金管理装置２００には送信しない（ＳＴＥＰ１８）。また、レシート発行装置１８により、レシート又は取引伝票に当該連携番号を含む認証印字を行ってレシート又は取引伝票を発行する（ＳＴＥＰ１９）。
【００５２】
図１０は、現金管理装置２００における入出金操作準備プロセスの一例のフローチャートである。まず、ＩＤカードリーダ２２８によって、現金管理装置２００の操作者のＩＤ情報が読み取られる（ＳＴＥＰ２１）。当該ＩＤ情報に基づいて、その操作者が、現金管理装置２００の操作許可者であるか否かが識別される（ＳＴＥＰ２２）。
【００５３】
操作許可者であれば、現金管理装置２００の操作メニューが表示部２２７に表示される（ＳＴＥＰ２３）。その表示を見ながら、操作者（操作許可者）は、キーボード式操作部２２６から処理内容を入力する（ＳＴＥＰ２４）。
【００５４】
まず、出納機１００との連携処理が選択される場合について先に説明する。
【００５５】
連携処理が選択されると、本例では、セキュリティの一層の向上のために、暗証番号入力を求める（ＳＴＥＰ２５）。
【００５６】
暗証番号の照合の後、操作者（操作許可者）は、キーボード式操作部２２６から出納機１００にて発行された連携番号を入力する（ＳＴＥＰ２６）。
【００５７】
尚、連携番号は、出納機１００において操作者のＩＤ情報が識別され且つ暗証番号が入力された結果として発行されたものであるので、他の実施の形態として、出納機１００の操作者が現金管理装置２００の操作権限も有する者である場合には、ここで連携番号の入力のみを要求し、ＩＤ情報及び暗証番号の上記入力要求は省略するようにできる。
【００５８】
連携番号の入力に応じて、現金管理装置２００は、出納機１００に問い合わせを行う。出納機１００は、当該連携番号を用いて連携処理情報を検索し、当該連携番号に対応する連携処理情報の内容である取出／収納操作の詳細情報（取出／収納操作対象である金種乃至金額のデータの他、ドロアの開閉手順のデータが含まれ得る）をピックアップして現金管理装置２００に送信し（ＳＴＥＰ２７）、現金管理装置２００は、その一部又は全部の情報を操作者の確認のために表示する（ＳＴＥＰ２８）。確認の後、操作者による入力完了キーの操作によって、取出／収納準備完了が検知される（ＳＴＥＰ２９）。
【００５９】
その後、連携処理情報に含まれる取出／収納操作の詳細に基づいて貨幣の収納処理又は取出処理が行われ（ＳＴＥＰ３０）、キーボード式操作部２２６から当該処理が完了した旨の入力が行われると、当該連携処理情報が更新されてハードディスク２２５ｇに更新記憶されるとともに（ＳＴＥＰ３１）、通信回線を介して当該連携処理情報が出納機１００にも送信され、出納機１００における当該連携処理情報が処理済として更新される。
【００６０】
次に、現金管理装置２００での単体処理、即ち、出納機１００から予め受信する連携処理情報に基づかないローカル処理が選択される場合について説明する。
【００６１】
単体処理が選択されると、本例では、セキュリティの一層の向上のために、暗証番号入力を求める（ＳＴＥＰ１２５）。現金管理装置２００の単体処理は、出納機１００から予め受信する連携処理情報に基づかない処理であって、当該処理に対応する連携処理情報が未作成の処理である。従って、出納機１００から受信した連携処理情報に基づく連携処理の場合と異なり、ＩＤ情報及び暗証番号の入力要求は省略することができない。
【００６２】
暗証番号の照合の後、操作者（操作許可者）は、キーボード式操作部２２６から、取出／収納操作の詳細を入力する（ＳＴＥＰ１２６）。具体的には、取出／収納対象の金種及び束数あるいは本数のデータが入力される。その後、操作者による入力完了キーの操作によって、入力完了が検知される（ＳＴＥＰ１２７）。
【００６３】
現金管理装置２００は、入力された取出／収納操作の詳細を含む処理情報としてのローカル処理情報（ローカル処理キューとも呼ばれる）を作成し、そのローカル処理情報に対して、ローカル処理情報の一部としてのローカル処理番号を発行し、当該ローカル処理番号と実際の取出／収納操作の詳細な内容との対応付けを含むローカル処理情報をハードディスク２２５ｇに記憶するとともに、通信回線を介して当該ローカル処理情報を出納機１００に送信する。この時に通信回線が切断された状態であった場合は、貨幣管理装置２００に当該ローカル処理情報を保持しておき、その後、通信回線が接続されたときに出納機１００に送信する。現金管理装置２００での単体処理に関するローカル処理情報の送信前には、出納機１００は、当該単体処理に関する情報を何も持っていない状態であるので、単体処理に関するローカル処理情報は例外なく総て出納機１００に送信する。
【００６４】
その後、ローカル処理情報に含まれる取出／収納操作の詳細に基づいて貨幣の収納処理又は取出処理が行われ（ＳＴＥＰ１２８）、キーボード式操作部２２６から、当該処理が完了した旨の入力が行われると、当該ローカル処理情報が更新されてハードディスク２２５ｇに更新記憶されるとともに（ＳＴＥＰ１２９）、通信回線を介して当該ローカル処理情報が出納機１００にも送信され、出納機１００における当該ローカル処理情報が更新される。上記同様、この時に通信回線が切断された状態であった場合は、貨幣管理装置２００に当該ローカル処理情報を保持しておき、その後、通信回線が接続されたときに出納機１００に送信する。尚、当該ローカル処理情報の作成時に当該ローカル処理情報を出納機１００に送信できず未送信であった場合には、取出／収納操作の完了後に更新済みの当該ローカル処理情報のみを送信するようにしてもよい。
【００６５】
図１１は、本発明の実施の一形態に係る貨幣管理システム及び貨幣管理方法による在高管理の全体像を模式的に表した説明図である。
【００６６】
本発明の実施の一形態に係る貨幣管理システムは、相互に通信可能に構成された出納機１００と貨幣管理装置２００とを備えている。出納機１００と貨幣管理装置２００とは、相互に通信可能に構成されているが、その通信回線は常時接続ではなく、随時、任意に接続を物理的に切断することができる。従って、貨幣管理装置２００は、店舗内の任意の場所へ移動して使用することができる。尚、貨幣管理装置２００は、単体での在高管理も可能である。
【００６７】
本発明の実施の一形態に係る貨幣管理システム及び貨幣管理方法においては、金融機関店舗内の総ての在高管理は、出納機１００によって行われる。出納機１００が管理する在高には、在庫在高６、機械在高１、ポスト在高２、手持ち在高３が含まれる。
【００６８】
在庫在高６とは、金融機関店舗内の本金庫内に収納されている貨幣の在高である。機械在高１とは、出納機１００内に収納されている貨幣の在高である。ポスト在高２とは、出納機１００のポスト、即ち、前述の現金外ボックス１４に入金された小切手等の有価証券類や、破損又は汚損した紙幣である損券であって、出金が不可能なものの在高である。手持ち在高３とは、資金移動のために一時的に本金庫又は出納機１００から取り出される等して、人手による管理の下に置かれている貨幣の在高であるが、貨幣管理装置２００に収納されて移動可能な状態となっている貨幣の在高である貨幣管理装置在高４（４Ｘ，４Ｙ）も手持ち在高の一部として管理される。貨幣管理装置在高４は、出納機１００において手持ち在高３の一部４Ｘとして管理されるが、貨幣管理装置２００自体においては、貨幣管理装置在高４Ｙとして管理されるものである。貨幣管理装置２００の貨幣管理装置在高４Ｙは、出納機１００により随時問い合わせられる。貨幣管理装置在高４Ｘと貨幣管理装置在高４Ｙとは、出納機１００と貨幣管理装置２００との間で連携処理情報を送受信して双方の在高データを更新することにより一致させられる。
【００６９】
連携処理情報は、出納機１００の処理情報管理データベース４００に記憶され、必要に応じて随時、更新される。この処理情報管理データベース４００は、例えば、出納機１００のハードディスクドライブ１５ｇに記憶される。
【００７０】
顧客との間で入出金を行う場合には、機械在高又は手持ち在高に含まれる貨幣を用いて入出金を行う。また、顧客から小切手等の有価証券類が入金された場合や、入金された貨幣の中に損券が含まれていた場合は、それらはポスト入金されてポスト在高として管理されるが、その後、それらの有価証券類や損券が出納機１００のポストから回収されると、そのポスト在高は手持ち在高の一部として管理される。
【００７１】
出納機１００に収納されている貨幣が不足したり入り切らなくなったりしたときは、本金庫から貨幣を取り出して出納機１００に補充したり、出納機１００から貨幣を回収して本金庫に収納したりする。その資金移動の際には、当該資金は一時的に手持ち在高として管理される。
【００７２】
貨幣管理装置２００に収納されている貨幣が不足したり入り切らなくなったりしたときは、本金庫から貨幣を取り出して貨幣管理装置２００に補充したり、手持ち在高の中から貨幣を貨幣管理装置２００に装填したり、貨幣管理装置２００から貨幣を回収して本金庫に収納したり、あるいは、手許に置いて手持ち在高として管理したりする。
【００７３】
総ての資金移動は、上述のように出納機１００によって在高管理が行われるが、特に、貨幣管理装置２００における貨幣の収納及び取出を含む入出金操作が行われる場合には、連携番号が付された連携処理情報が出納機１００において作成される。貨幣管理装置２００の取出／収納操作の実行前に当該連携処理情報が出納機１００から貨幣管理装置２００へ送信され、かつ、その取出／収納操作の実行後にも当該連携処理情報の更新情報が貨幣管理装置２００から出納機１００へ送り返されて、出納機１００と貨幣管理装置２００とにおける当該連携処理情報の整合が図られ、正確な在高管理が維持される。
【００７４】
図１２は、本発明の実施の一形態に係る貨幣管理システムにおいて管理される各在高を表示するための選択メニュー表示例である。
【００７５】
図１２に示すメニューには、「１  機械在高」、「２  ポスト在高」、「３  手持ち在高」、「４  貨幣管理装置在高」、「５  機械・ポスト・手持ち在高」、「６  在庫在高」が含まれている。
【００７６】
「５  機械・ポスト・手持ち在高」は、機械在高とポスト在高と手持ち在高との合計在高である。機械在高１、ポスト在高２、手持ち在高３、貨幣管理装置在高４、在庫在高６の定義は、上述した通りである。
【００７７】
一方、サブメニューには、機械在高１の詳細な内訳として、「１  機械在高合計」、「２  バラ紙幣入出金部在高」、「３  束整理出金部在高」、「４  新券出金部在高」、「５  バラ硬貨入出金部在高」、「６  包装硬貨出金部在高」、「７  機械在高連続」が含まれている。
【００７８】
「１  機械在高合計」は、「２  バラ紙幣入出金部在高」と「３  束整理出金部在高」と「４  新券出金部在高」と「５  バラ硬貨入出金部在高」と「６  包装硬貨出金部在高」の合計在高であり、メニューの「１  機械在高」と同義である。
【００７９】
「２  バラ紙幣入出金部在高」は、出納機１００の一部を構成する紙幣入出金整理機の中のバラ紙幣入出金部１１−Ｐ２の在高である。「３  束整理出金部在高」は、出納機１００の一部を構成する紙幣入出金整理機の中の束整理出金部１１−Ｐ１、即ち、紙幣を１００枚１束に整理して帯封を付して出金する出金部の在高である。「４  新券出金部在高」は、出納機１００の一部を構成する紙幣入出金整理機の中の新券出金部、即ち、顧客の要望に応じて紙幣の新券のみを出金する出金部の在高である。
【００８０】
「５  バラ硬貨入出金部在高」は、出納機１００の一部を構成する硬貨入出金整理機の中のバラ硬貨入出金部１２の在高である。「６  包装硬貨出金部在高」は、出納機１００の一部を構成する硬貨入出金整理機の中の包装硬貨出金部１３、即ち、硬貨を５０枚１本の棒金に包装して出金する出金部の在高である。
【００８１】
「７  機械在高連続」は、「２  バラ紙幣入出金部在高」と「３  束整理出金部在高」と「４  新券出金部在高」と「５  バラ硬貨入出金部在高」と「６  包装硬貨出金部在高」とを個別に連続して表示するためのサブメニュー項目である。
【００８２】
図１３は、本発明の実施の一形態に係る貨幣管理システム及び貨幣管理方法において行うことができる運用方法の例を示す説明図である。
【００８３】
最初に、図１３に示されている「出納担当者」及び「テラー」について説明する。「出納担当者」とは、本発明の実施の一形態に係る貨幣管理システムを構成する出納機１００及び貨幣管理装置２００の両方を使用する総ての入出金操作を行う権限を与えられている上位権限者である。一方、「テラー」とは、金融機関店舗の窓口で顧客との直接対応を行う係員（一般行員）であって、出納機１００において所定の限度額以内の入出金操作を行う権限を与えられている下位権限者である。
【００８４】
尚、許容される入出金操作の限度額が異なっていても、「出納担当者」及び「テラー」のいずれも、出納機１００及び貨幣管理装置２００を操作するためには、出納機１００及び貨幣管理装置２００のそれぞれに自己のＩＤ情報と暗証番号又はパスワードを予め登録しておく必要がある。
【００８５】
図１３（Ａ）は、出納機１００から１００万円、貨幣管理装置２００から１０００万円の合計１１００万円の取出操作を同一の出納担当者が行う場合を示している。
【００８６】
出納担当者が自己のＩＤ情報と暗証番号又はパスワードを出納機１００に入力した上で「出納機１００から１００万円、貨幣管理装置２００から１０００万円の合計１１００万円の取出操作」の入力を行うと、その取出操作についての連携処理情報が作成されて連携番号が付され、当該連携処理情報は連携番号と共に出納機１００のハードディスクドライブ１５ｇに記憶される。また、貨幣管理装置２００からの問い合わせに応じて、通信回線を介して当該連携処理情報が貨幣管理装置２００に送信され、貨幣管理装置２００のハードディスクドライブ２２５ｇにも記憶される。
【００８７】
そして、出納機１００から１００万円を出金する操作を行うと、１００万円の束紙幣が出納機１００から出金されると共に、入力された出金操作による出金のうちの一部が実行されたことを示す手払いレシートが発行される。この手払いレシートには、当該出金操作についての連携処理情報に対応する連携番号も印刷されている。
【００８８】
次に、出納担当者が貨幣管理装置２００に当該連携番号を入力すると、貨幣管理装置２００は、当該連携番号に基づいて対応する連携処理情報の送信を出納機１００に要求し、出納機１００から当該連携処理情報を受信すると、その連携処理情報における操作内容を表示する。尚、ここでは、連携番号が印刷された手払いレシートは、出納担当者のＩＤ情報と暗証番号又はパスワードを出納機１００に入力した結果として発行されている。貨幣管理装置２００では、同一の出納担当者が操作を行うので、連携番号のみ入力し、ＩＤ情報と暗証番号又はパスワードの入力は省略できるものとしている。逆に、貨幣管理装置２００では、ＩＤ情報のみ、又は、ＩＤ情報と暗証番号若しくはパスワードを入力するようにして、連携番号の入力を省略可能とし、ＩＤ情報の入力に応じて、当該担当者が関係する連携処理情報が一覧表示されるようにして、処理を選択できるようにしてもよい。この場合、手払いレシートを紛失しないように注意したり、連携番号を記憶しておく必要がなく、便利である。但し、より高度のセキュリティを担保したい場合には、貨幣管理装置２００でもＩＤ情報と暗証番号又はパスワードの入力を要求するようにしてもよい。
【００８９】
上記連携処理情報における操作として、「出納機１００から１００万円、貨幣管理装置２００から１０００万円の合計１１００万円の取出操作」のうち未実行の貨幣管理装置２００から１０００万円の取出を実行する操作を行うと、ドロアのロックが解除され、１０００万円の大束紙幣が取り出された後に、貨幣管理装置２００における自動在高確認動作が行われる。
【００９０】
また、貨幣管理装置２００のハードディスクドライブ２２５ｇにおける上記連携処理情報について操作が完了した旨の更新記録が行われると共に、更新記録された当該連携処理情報が通信回線を介して出納機１００に送信され、出納機１００のハードディスクドライブ１５ｇにも記憶される。
【００９１】
以上のような連携処理情報の送受信により、出納機１００及び貨幣管理装置２００における連携処理情報の整合が図られる。即ち、連携処理情報の同期が取られる。
【００９２】
図１３（Ｂ）は、テラーが出納機１００から１００万円、出納担当者が貨幣管理装置２００から１０００万円の合計１１００万円の出金操作を行う場合を示している。
【００９３】
テラーが自己のＩＤ情報と暗証番号又はパスワードを出納機１００に入力した上で「出納機１００から１００万円、貨幣管理装置２００から１０００万円の合計１１００万円の取出操作」の入力を行うと、その取出操作についての連携処理情報が作成されて連携番号が付され、当該連携処理情報は連携番号と共に出納機１００のハードディスクドライブ１５ｇに記憶される。また、貨幣管理装置２００からの問い合わせに応じて、通信回線を介して当該連携処理情報が貨幣管理装置２００に送信され、貨幣管理装置２００のハードディスクドライブ２２５ｇにも記憶される。
【００９４】
ここでは１０００万円の取出操作がテラーの権限を越える操作であるものとすると、出納機１００での１００万円の出金操作はテラー自身が実行可能であるが、貨幣管理装置２００からの取出操作は必ず出納担当者が実行すべきことが上記連携処理情報において規定されることもできる。
【００９５】
そして、テラーが出納機１００から１００万円を出金する操作を行うと、１００万円の束紙幣が出納機１００から出金されると共に、入力された出金操作による出金のうちの一部が実行されたことを示す手払いレシートが発行される。この手払いレシートには、当該出金操作についての連携処理情報に対応する連携番号も印刷されている。
【００９６】
次に、テラーからの依頼を受けた出納担当者が自己のＩＤ情報と暗証番号又はパスワードを貨幣管理装置２００に入力した上で、手払いレシートに記載された連携番号を貨幣管理装置２００に入力すると、貨幣管理装置２００は、当該連携番号に基づいて対応する連携処理情報の送信を出納機１００に要求し、出納機１００から当該連携処理情報を受信すると、その連携処理情報における操作内容を表示する。尚、ここでは、出納機１００からの出金操作を行うテラーと貨幣管理装置２００からの取出操作を行う出納担当者とは別個の係員であって、それぞれ個別のＩＤ情報と暗証番号又はパスワードとを有しているので、テラー及び出納担当者のいずれも、ＩＤ情報と暗証番号又はパスワードの入力を省略することはできない。ＩＤ情報を入力したときに、当該担当者が関係する未処理の連携処理（取出／収納操作）のリストを表示させて、連携番号を選択させることは可能である。
【００９７】
上記連携処理情報における操作として、「出納機１００から１００万円、貨幣管理装置２００から１０００万円の合計１１００万円の取出操作」のうち未実行の貨幣管理装置２００から１０００万円の取出を実行する操作を行うと、ドロアのロックが解除され、１０００万円の大束紙幣が取り出された後、貨幣管理装置２００における自動在高確認動作が行われる。
【００９８】
また、貨幣管理装置２００のハードディスクドライブ２２５ｇにおける上記連携処理情報について操作内容が完了した旨の更新記録が行われると共に、更新記録された当該連携処理情報が通信回線を介して出納機１００に送信され、出納機１００のハードディスクドライブ１５ｇにも記憶される。
【００９９】
以上のような連携処理情報の送受信により、出納機１００及び貨幣管理装置２００における連携処理情報の整合が図られる。即ち、連携処理情報の同期が取られる。
【０１００】
図１３（Ｃ）は、貨幣管理装置２００単体の運用を行う場合であって、貨幣管理装置２００から１１００万円の出金操作を出納担当者が行う場合を示している。
【０１０１】
出納担当者が自己のＩＤ情報と暗証番号又はパスワードを貨幣管理装置２００に入力した上で「貨幣管理装置２００からの１１００万円の出金操作」を入力すると、その出金操作についてのローカル処理情報が作成されてローカル処理番号が付され、当該ローカル処理情報はローカル処理番号と共に貨幣管理装置２００のハードディスクドライブ２２５ｇに記憶される一方、その時点で貨幣管理装置２００と出納機１００とが通信回線を介して接続されていれば、当該ローカル処理情報が出納機１００に送信され、出納機１００のハードディスクドライブ１５ｇにも記憶される。
【０１０２】
そして、貨幣管理装置２００から１１００万円を取り出すための操作を行うと、１０００万円の大束紙幣と１００万円の束紙幣とを取り出すことができ、貨幣管理装置２００における自動在高確認動作が行われる。
【０１０３】
また、貨幣管理装置２００のハードディスクドライブ２２５ｇにおける上記ローカル処理情報について操作が完了した旨の更新記録が行われる。さらに、貨幣管理装置２００と出納機１００とが通信回線を介して接続されると、記録された当該ローカル処理情報が通信回線を介して出納機１００に送信され、出納機１００のハードディスクドライブ１５ｇにも記憶される。ローカル処理情報が作成された時点で貨幣管理装置２００と出納機１００とが通信回線を介して接続されていなかった場合には、両者が通信回線を介して接続された時に、記録された当該ローカル処理情報が出納機１００に送信されて、出納機１００のハードディスクドライブ１５ｇに記憶されるものとしてもよい。
【０１０４】
以上は、本発明の実施の一形態に係る貨幣管理システム及び貨幣管理方法において行われる連携処理情報の送受信手順の一例であり、後述する連携処理情報の送受信手順の他の例とは一部異なっている。
【０１０５】
図１４は、貨幣管理装置２００での入出金操作時における出納機１００と貨幣管理装置２００との間のデータ送受信及び動作（操作）手順を模式的に表した説明図である。
【０１０６】
入出金操作を行う担当者が自己のＩＤ情報を出納機１００に入力すると、当該担当者に許可された選択可能な処理が出納機１００の表示部１５ａに一覧表示されるので、当該担当者はその中から実行しようとする入出金操作（処理）を選択して入力し（ステップＳ５００）、次に、当該処理に必要な暗証番号を入力する（ステップＳ５０１）。すると、その入出金操作（処理）についての連携処理情報が作成されて連携番号が付され、当該連携処理情報は連携番号と共に出納機１００のハードディスクドライブ１５ｇに記憶され、当該連携処理情報に含まれる入出金操作（処理）の実施が可能な状態となる（ステップＳ５０２）。
【０１０７】
そして、出納機１００は、その連携処理情報に、貨幣管理装置２００との連携がある、即ち、扱い区分が貨幣管理装置２００で、かつ、操作実行担当者が貨幣管理装置２００の操作権限を有する入出金操作が含まれるか否かを識別する。
【０１０８】
いずれかの条件に該当しない場合には、当該連携処理情報に関する処理を終了させるが（ステップＳ５０４）、貨幣管理装置２００との連携があり且つ操作実行担当者が貨幣管理装置２００の操作権限を有する取出／収納操作が含まれる場合には、出納機１００は、貨幣管理装置２００に対して、当該連携処理情報に含まれる取出／収納処理を開始すべきことを要求する処理オープン要求を通信回線を介して送信する（ステップＳ５０３）。そして、出納機１００では、認証印字を行って処理を終了する（ステップＳ５０４）。
【０１０９】
出納機１００からの処理オープン要求に応じて貨幣管理装置２００では、担当者ＩＤ入力、処理項目選択入力及び暗証番号入力のうち担当者ＩＤ入力及び暗証番号入力をスキップ（省略）可能とする（ステップＳ５１０）。
【０１１０】
貨幣管理装置２００において、処理項目選択画面で連携処理情報を選択すると（ステップＳ５１１）、連携処理情報の連携番号が入力可能な状態となる。連携番号が対応付けられた連携処理情報は、操作実行担当者が自己のＩＤ情報と暗証番号とを出納機１００に入力した結果として作成されたものであるので、ここでは、貨幣管理装置２００において連携番号のみ入力すれば、操作実行担当者のＩＤ情報及び暗証番号の入力は省略することができる。
【０１１１】
但し、より高度のセキュリティを担保したい場合には、貨幣管理装置２００でも、操作開始時に、操作実行担当者のＩＤ情報と暗証番号の入力を要求するようにしてもよい（ステップＳ５１０）。この場合は、操作実行担当者が自己のＩＤ情報と暗証番号とを貨幣管理装置２００に入力して（ステップＳ５１０）、処理項目選択画面で連携処理情報を選択すると（ステップＳ５１１）、連携処理情報の連携番号が入力可能な状態となる。
【０１１２】
逆に、貨幣管理装置２００では、ＩＤ情報のみ、又は、ＩＤ情報と暗証番号若しくはパスワードを入力するようにして、ＩＤ情報の入力に応じて、当該担当者が関係する連携処理情報が一覧表示されるようにして、連携番号の入力を省略可能としてもよい。この場合、連携番号が印字されたレシートを紛失しないように注意したり、連携番号を記憶しておく必要がなく、便利である。
【０１１３】
操作実行担当者のＩＤ情報及び暗証番号の入力後、又は、ＩＤ情報及び暗証番号の入力無しで、実行しようとする取出／収納操作の連携処理情報に対応する連携番号を入力すると（ステップＳ５１２）、貨幣管理装置２００は、当該連携番号に対応する連携処理情報要求を出納機１００に対して送信する。出納機１００はその連携処理情報要求に応答して当該連携処理情報を貨幣管理装置２００に送信する。貨幣管理装置２００は、当該連携処理情報を受信して例えばハードディスクドライブ２２５ｇに記憶すると共に、その連携処理情報における取出／収納操作内容を表示する。
【０１１４】
表示された取出／収納操作の操作実行担当者による選択入力により、その取出／収納操作が実行可能な状態となり、貨幣の収納及び／又は取出処理が行われた後（ステップＳ５１３）、貨幣管理装置２００における自動精査即ち自動在高確認動作が行われ、入出金後の貨幣管理装置在高に異常がなければ入出金操作は正常に終了する。
【０１１５】
そして、貨幣管理装置２００に記憶保存された上記連携処理情報について操作内容が完了した旨の更新記録が行われる。また、更新記録された当該連携処理情報が処理結果通知と共に通信回線を介して出納機１００に送信され、出納機１００において管理されている当該連携処理情報も更新記録される。そして、出納機１００が更新記録された当該連携処理情報と処理結果通知とを受信した旨を貨幣管理装置２００に対して送信すると、出納機１００において当該連携処理情報に処理済のフラグがセットされる。さらに、出納機１００からの応答を貨幣管理装置２００が受信すると、貨幣管理装置２００における処理も終了する（ステップＳ５１４）。
【０１１６】
出納機１００における処理の終了時には、処理結果が認証伝票に認証印字されるものとするとよい。
【０１１７】
尚、貨幣管理装置２００が出納機１００から連携処理情報を受信し、当該連携処理情報の収納及び／又は取出処理が行われて当該連携処理情報の更新記録が行われた後、貨幣管理装置２００から出納機１００へ更新記録された当該連携処理情報を送信しようとした時点で、貨幣管理装置２００と出納機１００との間の通信回線が切断されていた場合には、貨幣管理装置２００は、更新記録された当該連携処理情報を直ちに送信せずに保持しておき、後に通信回線が接続されたときに送信するようにする。
【０１１８】
以上が、本発明の実施の一形態に係る貨幣管理システム及び貨幣管理方法において行われる貨幣管理装置２００での取出／収納操作時における出納機１００及び貨幣管理装置２００での担当者のＩＤ及び暗証番号入力等に関する操作手順である。
【０１１９】
図１５は、本発明の実施の一形態に係る貨幣管理システム及び貨幣管理方法において行われる出納機１００及び貨幣管理装置２００での連携処理情報を含む各種情報処理の流れを模式的に表した説明図である。
【０１２０】
本発明の実施の一形態に係る貨幣管理システム及び貨幣管理方法における連携処理情報は、出納機１００の処理情報管理データベース４００に登録即ち記憶され、必要に応じて随時、更新される。
【０１２１】
例えば、本金庫の在庫から貨幣管理装置２００への資金移動を行う場合（ステップＳ６００）、出納機１００において、その入出金操作に関する連携処理情報が作成されて処理情報管理データベース４００に登録される（ステップＳ６０１）。そして、出納機１００は、その資金移動に伴う在高管理として、移動資金の金額を本金庫の在庫在高から減算し、手持ち在高の一部としての貨幣管理装置在高に加算する加減算を行う（ステップＳ６０２）。また、上記連携処理による資金移動を取引データとしても登録し（ステップＳ６０３）、出納機１００における処理が終了する（ステップＳ６０４）。
【０１２２】
当該連携処理情報に基づく入出金操作においては、貨幣管理装置２００では入金即ち収納処理が連携処理として行われることになる（ステップＳ６１０）。貨幣管理装置２００は、出納機１００からの前述のオープン要求を受信すると、それに応じて、当該連携処理情報を要求して取得し参照する（ステップＳ６１１）。そして、当該連携処理情報に基づいて、本金庫の在庫から移動されてきた資金（貨幣）の収納処理を実施すると（ステップＳ６１２）、貨幣管理装置２００において、当該連携処理情報について操作内容が完了した旨の更新記録が行われると共に（ステップＳ６１３）、更新記録された当該連携処理情報が通信回線を介して出納機１００に送信され、出納機１００の処理情報管理データベース４００上の当該連携処理情報も更新される。貨幣管理装置２００における連携処理は、更新記録された当該連携処理情報が出納機１００に送信されると、終了する（ステップＳ６１４）。
【０１２３】
図１６及び図１７は、本発明の実施の一形態に係る貨幣管理システム及び貨幣管理方法において作成及び更新される連携処理情報の内容の例を示す説明図である。
【０１２４】
先ず、図１６（Ａ）は、出納機での処理が終了した状態であって貨幣管理装置では未処理の状態を示す連携処理情報の内容の例である。出納機１００において、出納機１００及び貨幣管理装置２００の入出金操作及び取出／収納操作が含まれる連携処理についての連携処理情報が作成及び登録され、かつ、出納機１００での入出金操作のみ完了し、貨幣管理装置２００での取出／収納操作は未処理の時点における当該連携処理情報の内容の例が示されている。出納機１００及び貨幣管理装置２００においてそれぞれ入出金操作及び取出／収納操作を行う金種の紙幣束数及び棒金本数が金種ごとに登録されており、出納機１００での入出金操作が行われた日時及び担当者番号が示されている。また、上部中央には、収納／取出が行われておらず、「未処理」の状態であることが示されている。
【０１２５】
また、図１６（Ｂ）は、出納機及び貨幣管理装置での連携処理が完了し且つ連携処理情報が更新された状態を示す連携処理情報の内容の例である。連携処理情報に登録された出納機１００及び貨幣管理装置２００における入出金操作がそれぞれ完了し、それらの入出金操作が行われた日時及び担当者番号が示されている。また、上部中央には、取出／収納処理済みであることが「済」として示されている。
【０１２６】
一方、図１７は、貨幣管理装置単体での処理、即ち、ローカル処理を実行するために作成された未処理状態のローカル処理情報の内容の例である。貨幣管理装置２００において、貨幣管理装置２００での取出／収納操作についてのローカル処理情報が作成及び登録され、貨幣管理装置２００での当該取出／収納操作のデータが出納機１００に送信されていることが表示されている。貨幣管理装置２００において取出／収納操作を行う金種の紙幣束数及び棒金本数が金種ごとに登録されており、貨幣管理装置２００においてローカル処理が行われた日時及び担当者番号が示されている。また、出納機１００における認証印字が終了していないことを、表示中の状態「未処理」が示している。
【０１２７】
これらの例を提示した上で、本発明の実施の一形態に係る貨幣管理システム及び貨幣管理方法における連携処理情報の作成及び更新の概略手順について説明する。
【０１２８】
実行しようとする入出金操作に出納機１００と貨幣管理装置２００との連携が必要である場合、手持ち在高として入力した在高データの一部又は全部を貨幣管理装置２００扱いの貨幣管理装置在高として貨幣管理装置取引データ、即ち、連携処理情報を、出納機１００において作成して登録する。
【０１２９】
貨幣の対象金種は、紙幣が万円、５千円、２千円、千円、硬貨が５００円、１００円、５０円、１０円、５円、１円とする。
【０１３０】
ここでは、貨幣管理装置２００においては、束／本、即ち、束紙幣と包装硬貨の棒金とが取扱い対象となり、バラ紙幣及びバラ硬貨は取扱い対象とならないものとし、紙幣の量は１００枚単位、硬貨の量は５０枚単位で取出／収納操作対象として連携処理情報に登録する。一例として、万円１３０枚、５００円９０枚の取出操作を登録する場合は、貨幣管理装置２００からの取出操作として万円１００枚、５００円５０枚を登録し、残余の万円３０枚、５００円４０枚は取出操作として登録されない。また、他の例として、５千円６０枚、千円５０枚の出金操作を登録する場合は、貨幣管理装置２００からの取出操作として登録可能な出金操作は「無し」となる。
【０１３１】
貨幣管理装置２００の操作「可」とされている担当者のみが、手持ち在高操作認証において「手持ち在高操作」又は「貨幣管理装置在高操作」の選択を行うことができるものとするとよい。貨幣管理装置２００の操作「不可」とされている担当者は、貨幣管理装置２００の操作「可」とされている他の担当者との連携処理として「貨幣管理装置在高操作」の登録を行うことにより、貨幣管理装置２００の入出金操作を行うことを可能とするとよい。
【０１３２】
出納機１００において、貨幣管理装置２００の取出／収納操作が含まれる連携処理の操作認証時に発行される認証伝票（レシート）等の連携処理情報印字伝票には、当該連携処理情報に対応する連携番号が印刷される。
【０１３３】
連携処理の操作認証時、即ち、連携処理情報の作成及び登録を行う際には、その時点で出納機１００に記憶されている貨幣管理装置在高をチェックし、操作認証しようとする入出金操作を行った結果として貨幣管理装置２００の容量を超えることがないかどうかを金種ごとに確認する。貨幣管理装置２００の容量を超える金種がある場合の取扱いの一例として、容量を超えることとなる金種の入出金操作は除外し、容量以内の金種の入出金操作のみに関して連携処理の操作認証を行い、連携処理情報の作成及び登録を行うとよい。
【０１３４】
例えば、貨幣管理装置２００の万円紙幣の容量が３００束、５００円硬貨の棒金の容量が３００本である場合に、万円紙幣の入金４５０束、５００円硬貨の棒金の入金１００本で連携処理の操作認証を行おうとしたすると、万円紙幣の入金４５０束は連携処理の操作認証から除外され、５００円硬貨の棒金の入金１００本のみについて連携処理の操作認証が行われ、連携処理情報の作成及び登録が行われる。
【０１３５】
容量を超えるために連携処理の操作認証から除外される金種の収納／取出操作については、連携処理の操作認証の際の確認画面に表示して、他の金種の収納／取出操作のみについて連携処理の操作認証を行ってよいかどうかの確認入力を受け付ける。尚、貨幣管理装置２００の容量を超える金種があり、かつ、貨幣管理装置２００の操作「不可」とされている担当者によって連携処理の操作認証入力が行われている場合は、確認画面を表示することなく操作認証不可とする処理を続行するものとしてもよい。
【０１３６】
図１８及び図１９は、出納機１００及び貨幣管理装置２００による連携処理を行う場合における貨幣管理装置２００の画面表示例を示す説明図である。
【０１３７】
図１８（Ａ）は、貨幣管理装置２００の表示画面構成を示している。収納等の処理名称、日付・日時、処理通番、担当者番号が表示されており、処理サブエリア、ガイダンス部、エラーメッセージ部、状態表示部が設けられている。
【０１３８】
図１８（Ｂ）は、担当者ＩＤの入力待ち状態を示している。ここで、担当者ＩＤが入力されると、図１８（Ｃ）に示すように、貨幣管理装置２００において実行可能な操作が一覧表示されたメニュー選択画面が表示される。このメニュー選択画面において、ここでは「連携取出／収納」を選択すると、その操作担当者の暗証番号入力を要求する。図１８（Ｄ）は、暗証番号の入力待ち状態を示している。
【０１３９】
正しい暗証番号が入力され、かつ、その操作担当者に「連携取出／収納」の操作処理権限があれば処理が開始され、図１８（Ｅ）に示すように、連携番号入力待ち状態となる。連携番号が入力されると、貨幣管理装置２００は、入力された連携番号に対応する連携処理情報を出納機１００の処理情報管理データベース４００から取得する。入力された連携番号に対応する連携処理情報が存在しない場合、又は、入力された連携番号に対応する連携処理情報の収納／取出操作が処理済みである場合には、処理は実行しない。
【０１４０】
また、連携処理情報を取得した時点での貨幣管理装置在高をチェックし、連携処理情報の入出金操作を行った結果として貨幣管理装置２００の容量を超えることがないかどうかを金種ごとに確認する。貨幣管理装置２００の容量を超える金種がある場合は、エラーメッセージを表示するが、貨幣管理装置２００の容量を超える金種がない場合は、次の動作手順へ進む。
【０１４１】
尚、出納機１００の操作者が貨幣管理装置２００の操作権限を有する者であるならば、出納機１００での操作後直ちに貨幣管理装置２００の所在場所へ移動して、出納機１００からの前述の処理オープン要求を受信済みの操作を実行するであろうから、担当者ＩＤ入力、処理選択、暗証番号入力を総て省略して、連携番号入力待ち状態に遷移するものとするとよい。
【０１４２】
入力された連携番号に対応する連携処理情報を取得したら、図１８（Ｆ）及び図１８（Ｇ）に示すように、当該連携処理情報の取出／収納操作の内容を表示する。図１８（Ｆ）の表示画面には、貨幣管理装置２００に収納する硬貨の棒金の本数が金種ごとに示されており、図１８（Ｇ）の表示画面には、貨幣管理装置２００に収納する束紙幣の束数が金種ごとに示されている。図１８（Ｆ）の表示画面と図１８（Ｇ）の表示画面とは、貨幣管理装置２００のキーボード式操作部２２６の「切替」キーを押下するたびに切り替わるものとするとよい。
【０１４３】
図１８（Ｆ）及び図１８（Ｇ）の表示画面で当該連携処理情報の取出／収納操作の内容を確認したら、ここでは、その確認の入力として「完了」キーを２度押下するものとする。これにより、実行しようとする処理内容が確定する。
【０１４４】
処理内容の確定に応じて、貨幣管理装置２００は取出／収納操作（ここでは収納処理）を実行することが可能な状態となる。即ち、指定金種の収納部のロックが解除され、図１８（Ｇ）の表示画面の中央下部には、取出／収納操作を実行可能な状態である旨が表示される。尚、複数の収納部のロックを解除する場合、各ロックの解除には優先順位を設定することができる。
【０１４５】
全指定金種の取出／収納操作（ここでは収納処理）が終了すると、図１８（Ｈ）に示すように、自動精査の実行待ち状態となる。尚、このとき、図１８（Ｈ）の表示画面の中央下部に示されているように、「その他収納部」に収納するものがある場合は、「訂正」キーを押下することにより「その他収納部」のロックを解除して収納を行うことができる。その後、「実行」キーを押下すると、自動精査が開始される。
【０１４６】
自動精査では、各金種の重量測定を行って、金種ごとの束紙幣の束数、棒金の本数を算出し、データ上の貨幣管理装置在高と比較し、一致すれば、正常に処理を終了して、メニュー選択画面又は待機画面の表示状態へ遷移する。尚、図１９（Ａ）は、自動精査実行中の画面表示例を示している。
【０１４７】
一方、自動精査の結果、在高不一致が発生すると、図１９（Ｂ）に示すように、各収納部ごとに精査結果の正常（ＯＫ）又は異常（ＮＧ）を表示する。ここで、「完了」キーを押下すると、図１９（Ｃ）及び図１９（Ｄ）に示すように、異常収納部の各金種の在高と重量測定結果とを表示する。図１９（Ｃ）の表示画面と図１９（Ｄ）の表示画面とは、「切替」キーを押下するたびに切り替わるものとするとよい。
【０１４８】
そして、図１９（Ｅ）及び図１９（Ｆ）の表示画面では、精査結果の異常（ＮＧ）が検出された各収納部を開けて目視による確認を促す表示を行っている。
【０１４９】
最後の図１９（Ｇ）の表示画面では、強制終了又は自動精査の再実行の選択待ち状態となっている。自動精査の再実行を選択すると、各金種の重量測定による自動精査（図１９（Ａ））からの処理を再度行う。一方、キーボード式操作部２２６を用いて強制終了を選択すると、承認者のＩＤ入力及び暗証番号入力を要求し、それらの入力に応じて処理を強制終了し、メニュー選択画面の表示状態へ遷移する。
【０１５０】
次に、貨幣管理装置２００単体でのローカル処理について説明する。先ず、ローカル処理を実行する前提としてのオープン処理を行う。即ち、担当者ＩＤ入力待ち状態となっている貨幣管理装置２００に担当者ＩＤを入力すると、貨幣管理装置２００において実行可能な操作が一覧表示されたメニュー選択画面に遷移する。
【０１５１】
メニュー選択画面において、ここでは「収納」を選択すると、その操作担当者の暗証番号入力を要求する。正しい暗証番号が入力され、かつ、その操作担当者に「収納」の操作処理権限があれば処理が開始される。
【０１５２】
先ず、収納しようとする貨幣の合計金額を入力すると共に、金種を選択して、収納しようとする束紙幣の束数、棒金の本数を入力する。そして、その時点での貨幣管理装置在高をチェックし、入力した収納操作を行った結果として貨幣管理装置２００の容量を超えることがないかどうかを金種ごとに確認する。貨幣管理装置２００の容量を超える金種がある場合は、処理入力を受け付けずに、エラーメッセージを表示する。
【０１５３】
貨幣管理装置２００の容量を超える金種がない場合は、「完了」キーの押下を要求し、「完了」キーが押下されると、合計金額入力設定時には、設定された合計金額と各金種の束数及び本数の合計金額とが一致するか否かを確認し、不一致の場合は「完了」を受け付けずに、エラーメッセージを表示する。金額が一致する場合は、再度「完了」キーの押下を要求し、「完了」キーが押下されると、処理受付を確定し、次の動作手順へ進む。
【０１５４】
処理受付の確定に応じて、貨幣管理装置２００は取出／収納操作（ここでは収納処理）を実行することが可能な状態となる。即ち、指定金種の収納部のロックが解除され、表示画面には、取出／収納操作を実行可能な状態である旨が表示される。尚、複数の収納部のロックを解除する場合、各ロックの解除には優先順位を設定することができる。
【０１５５】
全指定金種の取出／収納操作（ここでは収納処理）が終了すると、貨幣管理装置２００は、自動精査の実行待ち状態となる。尚、このとき、「その他収納部」に収納するものがある場合は、「訂正」キーを押下することにより「その他収納部」のロックを解除して収納を行うことができる。その後、「実行」キーを押下すると、自動精査が開始される。
【０１５６】
自動精査では、各金種の重量測定を行って、金種ごとの束紙幣の束数、棒金の本数を算出し、データ上の貨幣管理装置在高と比較し、一致すれば、正常に処理を終了して、メニュー選択画面又は待機画面の表示状態へ遷移する。
【０１５７】
一方、自動精査の結果、在高不一致が発生すると、各収納部ごとに精査結果の正常（ＯＫ）又は異常（ＮＧ）を表示画面に表示する。ここで、「完了」キーを押下すると、異常収納部の各金種の在高と重量測定結果とを表示する。結果表示画面が複数に亘る場合、各表示画面は、「切替」キーを押下するたびに切り替わるものとするとよい。
【０１５８】
そして、精査結果の異常（ＮＧ）が検出された各収納部を開けて目視による確認を促す表示を行い、最後は、強制終了又は自動精査の再実行の選択待ち状態となる。自動精査の再実行を選択すると、各金種の重量測定による自動精査からの処理を再度行う。一方、強制終了を選択すると、承認者のＩＤ入力及び暗証番号入力を要求し、それらの入力に応じて処理を強制終了し、メニュー選択画面の表示状態へ遷移する。
【０１５９】
次に、本発明の実施の一形態に係る貨幣管理システム及び貨幣管理方法における違算追跡の手順について説明する。尚、ここでいう違算とは、出納機１００で処理の登録を行ったが、貨幣管理装置２００では当該処理が終了していないものがあることをいう。
【０１６０】
違算追跡では、貨幣管理装置２００の簡略合計に基づき、連携処理について貨幣管理装置２００での取引集計結果と出納機１００での取引集計結果とが整合しているか否か、即ち、未処理の連携処理情報が無いかどうかを確認する。
【０１６１】
図２０は、貨幣管理装置２００のメニュー選択画面表示例を示す説明図である。違算追跡を行う際には、先ず、このメニュー選択画面で「１２．貨幣管理装置簡略合計」を選択する。
【０１６２】
図２１は、貨幣管理装置２００から取得した簡略合計のデータ内容の例と出納機が管理している連携処理情報から計算した取引集計結果の内容の例とを示す説明図である。
【０１６３】
貨幣管理装置２００から取得した簡略合計のデータ内容の例には、連携収納（入金）の合計金額（１）と連携取出（出金）の合計金額（２）とが含まれている。
【０１６４】
出納機が管理している連携処理情報から計算した取引集計結果の内容の例には、在庫（本金庫在高）から貨幣管理装置への資金移動の処理済金額（３）と、手持ち資金（手持ち在高）から貨幣管理装置への資金収納の処理済金額（４）と、貨幣管理装置における手入力収納の処理済金額（５）と、貨幣管理装置から在庫（本金庫在高）への資金移動の処理済金額（６）と、貨幣管理装置から手持ち資金（手持ち在高）への資金取出の処理済金額（７）と、貨幣管理装置における手入力取出の処理済金額（８）とが含まれている。
【０１６５】
貨幣管理装置２００から取得した簡略合計のデータ内容と出納機が管理している連携処理情報から計算した取引集計結果の内容とを比較照合することにより、両者が整合しているか否か、即ち、総ての連携処理が処理済みであるか否かを確認する。
【０１６６】
総ての連携処理が処理済みであれば、「（１）＝（３）＋（４）＋（５）」及び「（２）＝（６）＋（７）＋（８）」の両式が成立する。
【０１６７】
上記両式の一方又は双方が成立しない場合は、未処理の連携処理が存在することを意味するので、貨幣管理装置２００の取引履歴照会により、どの連携番号の連携処理情報の入出金操作が未処理状態であるのかをチェックし、必要に応じて、貨幣管理装置２００における入出金操作即ち収納／取出処理を実施する。
【０１６８】
図２２は、貨幣管理装置２００の取引履歴照会により未処理チェックを行う際の画面表示例を示す説明図である。
【０１６９】
図２２（Ａ）に示すメニュー選択画面で「４．貨幣管理装置取引履歴照会」を選択すると、貨幣管理装置の取引履歴照会が行われ、図２２（Ｂ）に示す貨幣管理装置の取引履歴照会画面が表示される。
【０１７０】
図２２（Ｂ）の取引履歴照会画面から、「１」の連携番号１２３４の収納処理は未処理であることが分かる。また、「３」の収納処理も未処理だが、連携番号が付されていない。この「３」の収納処理の処理情報は、貨幣管理装置２００単体のローカル処理に関するローカル処理情報であって、収納処理自体は終了しており、ローカル処理情報の出納機１００への通知も完了しているが、出納機１００における当該ローカル処理情報の認証印字が未完了であることを示している。この「３」の収納処理では、出納機１００での認証印字が行われると、未処理が済となる。また、「４」の連携番号４５９の取出処理も未処理だが、手持ち資金に関する処理であるため、出納機１００との間での連携対象ではないことが分かる。また、その他の貨幣移動（取出／収納）処理は、総て処理済みであることが分かる。
【０１７１】
従って、貨幣管理装置２００において実施しなければならない貨幣移動処理は、「１」の連携番号１２３４の連携処理であるということが分かるので、当該連携処理を実施すると共に、送受信が未完了であった連携処理情報を出納機１００と貨幣管理装置２００との間で送受信することにより、違算状態が解消することとなる。
【０１７２】
以上に説明したように、本発明の実施の一形態に係る貨幣管理システム及び貨幣管理方法によれば、出納機１００と共に貨幣管理システムを構成する貨幣管理装置２００は、通信回線を接続解除することにより任意の場所に移動して使用することができ、出納機１００及び貨幣管理装置２００が関係する入出金操作に関する連携処理情報を、通信回線を接続した際に出納機１００と貨幣管理装置２００との間で送受信することにより、出納機１００は、在庫在高、機械在高及びポスト在高に加えて、貨幣管理装置在高を含む手持ち在高についても正確な在高管理を行うことができ、銀行等の金融機関店舗全体の在高を漏れなく一元的に正確に管理することができる。従って、締め精査時にも手計算の手間を省くことができ、低コストな業務運営を実現することができる。
【０１７３】
出納機１００と貨幣管理装置２００とは、要所要所で通信回線を介して相互に接続し連携処理情報を送受信するので、出納機１００はその都度連携処理情報を最新の情報に更新して正確な連携処理状況管理及び関連在高管理を行うことができる。尚、上記実施の一形態では、貨幣管理装置２００から送信された連携処理情報は、出納機１００のハードディスクドライブ１５ｇ等の記憶装置に記憶されるものとしているが、記憶装置に記憶せずに出納機１００が貨幣管理装置２００に問い合わせを行ったときのみ、貨幣管理装置２００が保持している連携処理情報を利用するようにしてもよい。
【０１７４】
貨幣管理装置２００において、ＩＤ情報のみ、又は、ＩＤ情報と暗証番号若しくはパスワードを入力するようにして連携番号の入力を省略可能とし、ＩＤ情報の入力に応じて、当該担当者が関係する連携処理情報が一覧表示されるようにした場合、連携番号が印字された認証伝票を紛失しないように注意したり、連携番号を記憶しておく必要がなく、便利である。その場合に、貨幣管理装置２００におけるいくつかの連携処理が処理待ち状態になっていたり出納機１００における処理順序と異なる順序で実行されたりするときでも、ＩＤカードを通す等によりＩＤ情報を入力するだけで自己が関係する連携処理情報が一覧表示されるので、操作が簡便である。同一ＩＤ情報に対応する複数の連携番号及び連携処理情報がある場合、各連携番号及び連携処理情報の金額表示や出納機１００での登録時刻又は処理時刻の表示があれば、処理の選択は容易に行うことができる。
【０１７５】
また、出納機１００と貨幣管理装置２００とにおける対応する貨幣移動処理を連携処理情報により管理することによって、一つの連携処理情報に設定された出納機１００における入出金処理と貨幣管理装置２００における収納／取出処理とを別個の操作担当者が実行することも可能なので非常に便利であり、出納機１００及び貨幣管理装置２００における対応する貨幣移動処理の両方を一人の操作担当者が実行する場合と比較して、両方の貨幣移動処理が完了するまでの時間を大幅に短縮することが可能であり、極端な場合、両方の貨幣移動処理をほぼ同時に完了させることもできる。
【０１７６】
以上に説明した連携処理情報に基づく出納機１００及び貨幣管理装置２００による入出金操作の連携処理は、金融機関店舗において一営業日ごとに多くの件数が発生し、その都度、連携処理情報が作成及び登録されて連携処理が実行される。
【０１７７】
しかし、何等かの手違い等により、作成及び登録された連携処理情報に設定された連携処理が未処理状態のままで放置されたり、必要のない連携処理情報が誤操作により作成及び登録されたりすることは、起こり得ないことではない。
【０１７８】
また、作成及び登録された連携処理情報に設定された連携処理が実行されたとしても、出納機１００及び貨幣管理装置２００において実際の入出金操作とデータの入力とに時間差が発生することもあり得る。
【０１７９】
従って、金融機関店舗の正確な在高管理を行うためには、これらの不都合にも適切に対処する必要がある。
【０１８０】
金融機関店舗においては、当日分の入出金処理が総て終了した時点で、管理者が当日分又は所定の日数分の入出金処理についての締め集計を行い、入出金集計表を作成してデータ上の数値と現物貨幣の在高とが一致していることを確認して金融機関本店又は本部等へ在高管理報告を行った後に当日分の入出金操作のデータクリア処理を行うようになっている。
【０１８１】
そこで、本発明の実施の一形態に係る貨幣管理システム及び貨幣管理方法における出納機１００及び貨幣管理装置２００の連携処理による入出金操作が確実に実行されたかどうかを貨幣管理システムの出納機１００において一元的に管理するための操作手順、即ち、本発明の実施の一形態に係る貨幣管理システム及び貨幣管理方法における締め作業時の未処理の連携処理の検出及び管理の手順について説明する。
【０１８２】
図２３は、本発明の実施の一形態に係る貨幣管理システム及び貨幣管理方法における締め作業時のデータクリア処理の手順を模式的に表した説明図である。
【０１８３】
出納機１００においてデータクリア処理が選択されたときに（ステップＳ７００）、出納機１００の設定が貨幣管理装置２００との「接続あり」設定となっていた場合（ステップＳ７０１）、出納機１００は、貨幣管理装置２００に対して在高取得要求を送信する（ステップＳ７０２）。その要求に応答して貨幣管理装置２００が最新の貨幣管理装置在高を出納機１００に送信し、出納機１００が当該貨幣管理装置在高を正常に受信すると（ステップＳ７０３）、出納機１００は、最新の貨幣管理装置在高を取得する（ステップＳ７０４）。
【０１８４】
尚、出納機１００と貨幣管理装置２００との間で在高取得要求及び最新の貨幣管理装置在高の送受信が行われる間に通信異常が発生した場合には、在高取得エラーが発生し（ステップＳ７０５）、処理続行が不可能となって通信異常終了となる。
【０１８５】
出納機１００は、貨幣管理装置２００から最新の貨幣管理装置在高を取得した後、以下のクリアチェックを行う（ステップＳ７０６）。
【０１８６】
即ち、出納機１００は、クリアチェックとして、機械在高、ポスト在高、貨幣管理装置在高のいずれかが残置限度額を超えていないか否かをチェックする。先ず、出納機１００は、貨幣管理装置２００の限度額チェックを行い、最新の貨幣管理装置在高が貨幣管理装置２００に残置可能な限度額を超える在高となっていないか否かをチェックする。また、出納機１００は、貨幣管理装置在高だけでなく、機械在高及びポスト在高についても限度額チェックを行い、機械在高又はポスト在高が残置限度額を超える在高となっていないか否かをチェックする。
【０１８７】
チェックの結果、貨幣管理装置在高、機械在高又はポスト在高のいずれかが残置限度額を超える在高となっている場合には、当該在高が残置限度額以下となるように本金庫に資金移動を行わなければならず、そのままデータクリア処理を続行することはできないので、データクリア処理を中止する。
【０１８８】
出納機１００における上記クリアチェック（ステップＳ７０６）終了後、又は、出納機１００においてデータクリア処理が選択されたときに（ステップＳ７００）、出納機１００の設定が貨幣管理装置２００との「接続なし」設定となっていた場合（ステップＳ７０１）、出納機１００は、自身に備えられている処理情報管理データベース４００に登録されている連携処理情報を検索及び参照して、設定された連携処理が未処理となっている連携処理情報がないかどうか、各連携処理情報の処理状態をチェックする（ステップＳ７０７）。
【０１８９】
尚、出納機１００においてデータクリア処理が選択されたときに（ステップＳ７００）、出納機１００の設定が貨幣管理装置２００との「接続なし」設定となっていた場合（ステップＳ７０１）、出納機１００は、貨幣管理装置２００からの貨幣管理装置在高取得を行わない。
【０１９０】
各連携処理情報の処理状態のチェックを行った結果、処理状態が未処理の連携処理情報がある場合は、未処理の連携処理情報があることを示す確認画面の表示を行い（ステップＳ７０８）、その確認画面において、データクリア処理を続行するか又はキャンセルするかを選択可能とし、選択入力を受け付ける。
【０１９１】
データクリア処理をキャンセルする場合は、実行しようとしていたデータクリア処理が中止されるので、その未処理の連携処理情報が、入出金の照合違いによるものであるのか、連携処理情報を扱う際の誤操作によるものであるのか、又は、その他の原因によるものであるのか等の調査を行うものとするとよい。この場合、処理状態が未処理の連携処理が直ちに実行可能な状況であるときは、直ちに実行するようにして、その後、データクリア処理を再度行うようにしてもよいし、当日中の実行が不可能な状況であるときは、翌日処理に回すようにしてもよい。未処理の連携処理を翌日処理に回してデータクリア処理を再度行う場合は、その未処理の連携処理に関わる在高は、手持ち在高に含めるものとするとよい。
【０１９２】
このように、本発明の実施の一形態に係る貨幣管理システム及び貨幣管理方法においては、未処理の連携処理の処理漏れを防止することができる。
【０１９３】
一方、処理状態が未処理の連携処理情報が例えば誤って作成及び登録された連携処理情報であって、そのままデータクリア処理を続行しても問題ないと判断されたときは、データクリア処理の続行を選択して、当日分の入出金処理結果を印字するジャーナルに、未処理の連携処理情報があるがデータクリア処理を強制続行したことを示す「続行印字」を証拠印字として出力し（ステップＳ７１０）、当該印字処理終了後、データクリア処理を続行する。
【０１９４】
処理状態が未処理の連携処理情報がなくデータクリア処理を続行した場合、又は、処理状態が未処理の連携処理情報があったがデータクリア処理を強制続行した場合は、取引履歴ファイルを出力する（ステップＳ７１１）。取引履歴ファイルを出力後、未処理の連携処理情報も含めて当日分の連携処理情報を処理情報管理データベース４００から消去して（ステップＳ７１２）、データクリア状態とし（ステップＳ７１３）、データクリア処理を実行したことを記録するための簡略印字を行う。また、出納機１００の設定が貨幣管理装置２００との「接続あり」設定となっている場合は、出納機１００の処理情報管理データベース４００における連携処理情報がデータクリア状態となったことを出納機１００から貨幣管理装置２００へデータクリア通知をデータクリア要求として送信する。尚、このデータクリア通知には、当日の日付が営業日情報として付加されている。
【０１９５】
一方、貨幣管理装置２００でも、出納機１００からのデータクリア通知（データクリア要求）を受けて、データクリア処理を開始する（ステップＳ７２０）。即ち、その営業日に貨幣管理装置２００で実行された収納／取出処理の電子ジャーナルファイルを作成して当日の電子ジャーナルファイル（取引履歴ファイル）を確定させ（ステップＳ７２１）、確定した電子ジャーナルファイルを所定のマスタファイルフォルダに格納する一方、出納機１００へ転送するためのＦＴＰファイル転送フォルダにも格納し（ステップＳ７２２）、出納機１００がＦＴＰファイル転送フォルダ内の電子ジャーナルファイルを取得してハードディスクドライブ１５ｇに保存したら（ステップＳ７１４）、出納機１００は貨幣管理装置２００のＦＴＰファイル転送フォルダ内の電子ジャーナルファイルを遠隔操作により消去（クリア）する。これにより、貨幣管理装置２００におけるデータクリア処理が終了する（ステップＳ７２３）と共に、出納機１００におけるデータクリア処理も終了する（ステップＳ７１５）。
【０１９６】
その後、出納機１００の翌営業日確認画面において翌営業日の日付を確認するために翌営業日の日付を表示し、その日付が正しければ「はい」の選択入力を受け付けて処理を終了し、その日付が誤っている場合は正しい日付の入力を受け付けて処理を終了する。
【０１９７】
貨幣管理装置２００において作成された電子ジャーナルファイルのマスタは、日付ごとに管理されてハードディスクドライブ２２５ｇの所定のマスタファイルフォルダに格納保存されており、当該マスタファイルは、ＦＴＰファイル転送フォルダ内の電子ジャーナルファイルが消去された後も、継続的に保存管理される。その保存期間は、出納機１００の設定によって決定されるものとすることができ、貨幣管理装置２００を構成するハードウェアが記録可能な限り継続的に保存管理されるものとしてもよい。あるいは、出納機１００及び貨幣管理装置２００の両者それぞれに全く独立した保存期間を設定してもよい。
【０１９８】
また、貨幣管理装置２００において作成されて、出納機１００へ転送するためのＦＴＰファイル転送フォルダに格納された電子ジャーナルファイルも、出納機１００の通信ターミナルでファイル取得エラーが発生した場合を考慮し、例えば最大３００日分の未取得ファイルを保持可能とするとよい。未取得の電子ジャーナルファイルをＦＴＰファイル転送フォルダに所定期間に渡って継続的に保持しておくことにより、出納機１００による貨幣管理装置２００のＦＴＰファイル転送フォルダ内の電子ジャーナルファイルの取得が、例えば通信状態の不具合等により万が一失敗しても、出納機１００は、翌日以降のデータクリア処理時に当該営業日分の電子ジャーナルファイルと併せて未取得の電子ジャーナルファイルを総て取得することができる。
【０１９９】
尚、電子ジャーナルファイル取得の異常終了時には、出納機１００において、電子ジャーナルファイル取得ＮＧ続行印字を証拠印字として行って出力し、処理を続行する。また、出納機１００の設定が貨幣管理装置２００との「接続なし」設定となっている場合は、電子ジャーナルファイル取得を行わない。
【０２００】
出納機１００がＦＴＰファイル転送により取得した貨幣管理装置２００の電子ジャーナルは、出納機１００において、例えば、「データ照会」、「電子ジャーナル照会」の操作を順次行うことにより、その内容を随時、参照又は印字することができるものとするとよい。
【０２０１】
また、出納機１００において電子ジャーナル照会を行う際に、該当する電子ジャーナルを検索した結果、見つからなかった場合には、通信回線を介して貨幣管理装置２００の所定のマスタファイルフォルダを検索し当該電子ジャーナルを取得するようにする。
【０２０２】
尚、出納機１００において電子ジャーナル照会を行う際に指定される営業日が当日である場合は、貨幣管理装置２００から取得済みの電子ジャーナルが最新のものとは限らないので、その都度必ず、貨幣管理装置２００からその時点での最新の電子ジャーナルを取得する。
【０２０３】
当日の電子ジャーナル照会は、その営業日に実行される予定の入出金処理がある時点で既に実行されたかどうかをチェックする場合等に行われる。また、貨幣管理システムに１台の出納機１００と複数台の貨幣管理装置２００とが含まれる場合に、各貨幣管理装置２００に分散されて管理されている同種のファイルを集約して管理及び参照したい場合にも、当日の電子ジャーナル照会を用いることができる。
【０２０４】
ここで、本発明の実施の一形態に係る貨幣管理システム及び貨幣管理方法における出納機１００での電子ジャーナル照会の際の電子ジャーナルファイル取得の手順について説明する。
【０２０５】
図２４は、本発明の実施の一形態に係る貨幣管理システム及び貨幣管理方法における出納機１００での電子ジャーナル照会の際の電子ジャーナルファイル取得の手順を模式的に表した説明図である。
【０２０６】
先ず最初に出納機１００において、「データ照会」、「電子ジャーナル照会」のメニュー選択操作を順次行うことにより、電子ジャーナル照会の処理を選択する（ステップＳ７３０）。
【０２０７】
電子ジャーナル照会の処理を選択した後、照会対象の電子ジャーナルを出納機１００の電子ジャーナル又は貨幣管理装置２００の電子ジャーナルから選択する（ステップＳ７３１）。
【０２０８】
照会対象の電子ジャーナルを選択後、照会したい電子ジャーナルの日付を入力する（ステップＳ７３２）。
【０２０９】
その後、照会対象の電子ジャーナルが出納機１００において既に取得済みであるか否かを識別する（ステップＳ７３３）。
【０２１０】
選択した照会対象の電子ジャーナルが出納機１００の電子ジャーナルである場合には、当該電子ジャーナルは必ず出納機１００内に記録保持されているはずなので、取得済みということになるが、選択した照会対象の電子ジャーナルが貨幣管理装置２００の電子ジャーナルである場合には、当該電子ジャーナルは必ずしも出納機１００において取得済みとは限らないので、ここで既に取得済みであるか否かを識別する必要がある。
【０２１１】
選択した照会対象の電子ジャーナルが出納機１００において既に取得済みである場合には、照会対象の電子ジャーナルが当日の電子ジャーナルであるか否かを入力された日付から識別する（ステップＳ７３４）。
【０２１２】
照会対象の電子ジャーナルが昨日以前の電子ジャーナルである場合には、当該電子ジャーナルが出納機１００の電子ジャーナルであっても貨幣管理装置２００の電子ジャーナルであっても、当該電子ジャーナルは出納機１００において既に取得済みであるはずなので、当該電子ジャーナルの表示を行う（ステップＳ７３６）。
【０２１３】
一方、照会対象の電子ジャーナルが貨幣管理装置２００の電子ジャーナルであり且つ当日の電子ジャーナルである場合には、貨幣管理装置２００から取得済みの電子ジャーナルが最新のものとは限らないので、必ずその時点での最新の電子ジャーナルを貨幣管理装置２００から取得して出納機１００内に保存し（ステップＳ７３５）、当該電子ジャーナルの表示を行う（ステップＳ７３６）。
【０２１４】
尚、照会対象の電子ジャーナルが出納機１００の電子ジャーナルである場合には、当該電子ジャーナルが当日の電子ジャーナルであっても昨日以前の電子ジャーナルであっても、出納機１００内に保存されている電子ジャーナルが最新版又は最終版の電子ジャーナルであるので、当該電子ジャーナルの表示を行う（ステップＳ７３６）。
【０２１５】
次に、連携処理情報のステータスの変更について説明する。連係情報については、作成及び登録を行った後で、そのステータスの変更を行う必要が生ずる場合がある。そのような場合の一例について説明する。
【０２１６】
貨幣管理装置２００への収納は、貨幣が紙幣である場合は束紙幣なので１００枚単位、硬貨である場合は棒金即ち包装硬貨なので５０枚単位となる。従って、収納しようとする貨幣が紙幣である場合は、その紙幣が１００枚を超えるときに、また、収納しようとする貨幣が硬貨である場合は、その硬貨が５０枚を超えるときに、貨幣管理装置２００に入金即ち貨幣収納を行うことになる。
【０２１７】
従って、収納しようとする貨幣の金種及び金額によっては、その貨幣の一部又は全部が貨幣管理装置２００に収納されない場合もあり、収納されなかった貨幣を手管理貨幣として保持する場合には、貨幣管理装置２００への収納処理は未処理として残存することとなる。
【０２１８】
また、貨幣管理装置２００の操作権限が無い担当者が貨幣管理装置２００の収納／取出処理を含む連携処理情報を作成及び登録した場合には、貨幣管理装置２００の収納／取出処理を実際に行う実行担当者は、貨幣管理装置２００の操作権限を有する担当者に強制的に設定されるため、その入出金（収納／取出）処理に関わる貨幣を手管理貨幣として扱いたい場合には、当該連携処理情報のステータスの変更が必要となる場合がある。
【０２１９】
図２５は、設定変更のためのユーザ設定メニューの画面表示例を示す説明図である。
【０２２０】
図２５の画面表示例においては、選択番号２２に「貨幣管理装置取引データ管理」の項目があるので、貨幣管理装置２００の入出金処理を含む連携処理情報のステータスの変更を行う場合には、この選択番号２２を入力する。
【０２２１】
図２６は、ステータスの変更対象となる連携処理情報を特定するための連携番号入力を受け付ける画面表示例を示す説明図である。
【０２２２】
連携処理情報のステータスの変更を行うために、図２５の設定変更のためのユーザ設定メニューから選択番号２２の「貨幣管理装置取引データ管理」の項目を選択すると、ステータスの変更対象となる連携処理情報を特定すべく、連携処理情報の連携番号入力を受け付ける図２６の連携番号入力画面が表示される。
【０２２３】
ここでは、例えば、連携番号１２３４の連携処理情報において、収納貨幣１００万円を貨幣管理装置２００に収納（入金）するものとして連携処理情報の作成及び登録を行ったが、その貨幣１００万円の取扱いを貨幣管理装置扱いから手管理貨幣扱いに変更したい場合を想定し、その取扱いの変更のために、当該連携処理情報のステータスを「未処理」から「済（処理済）」に変更する場合について説明する。
【０２２４】
図２６の連携番号入力画面において連携番号１２３４を入力すると、連携番号１２３４の連携処理情報が検索されて、当該連携処理情報の内容の画面表示が行われる。
【０２２５】
図２７は、連携処理情報の画面表示例（Ａ）及び（Ｂ）並びに連携処理情報のステータス変更の確認画面表示例（Ｃ）を示す説明図である。図２７（Ａ）は、ステータス変更前即ち初期表示時の連携処理情報の画面表示例であり、図２７（Ｂ）は、ステータス変更のために状態の項目のカーソル位置変更した後の連携処理情報の画面表示例であり、図２７（Ｃ）は、連携処理情報のステータス変更の確認画面表示例である。
【０２２６】
図２７（Ａ）に示されるように、連携処理情報において設定されている入出金操作に関わる貨幣の扱い区分と、「未処理」又は「済（処理済）」の状態とは、現在登録されている内容がカーソル表示されている。ここでは、１００万円の貨幣収納処理の扱い区分は「貨幣管理装置」、２０万円の貨幣取出処理の扱い区分は「手持ち」となっており、その貨幣取出／収納処理の状態は「未処理」となっている。
【０２２７】
この連携処理情報の画面表示例において、貨幣管理装置２００に収納処理を行う予定だった貨幣１００万円の取扱いを貨幣管理装置扱いから手管理貨幣扱いに変更すべく、この連携処理情報のステータスを「未処理」から「済（処理済）」に変更するために、状態の項目の「未処理」に位置していたカーソルを、図２７（Ｂ）に示すように、「済（処理済）」に移動する。
【０２２８】
そして、「完了」キーを押下すると、図２７（Ｃ）に示すように、連携処理情報のステータス変更、即ち、更新の確認画面が表示されるので、ここで「１．はい」の選択入力を行うと、連携番号１２３４の連携処理情報のステータス変更が完了する。
【０２２９】
これにより、連携番号１２３４の連携処理情報において設定されていた収納処理予定の貨幣１００万円の取扱いを、貨幣管理装置扱いから手管理貨幣扱いに変更することができる。
【０２３０】
図２５乃至図２７を参照して説明した以上の操作、及び、図２５乃至図２７の画面表示は、出納機１００又は貨幣管理装置２００において行うことができる。
【図面の簡単な説明】
【０２３１】
【図１】本発明の一実施の形態を示すシステム概略図である。
【図２】図１の出納機の外観を示す斜視図である。
【図３】図１及び図２の出納機の機能ブロック図である。
【図４】図１の貨幣管理装置の外観を示す斜視図である。
【図５】図１及び図４の貨幣管理装置の第２紙幣収納ドロアの斜視図である。
【図６】図１及び図４の貨幣管理装置の第２硬貨収納ドロアの斜視図である。
【図７】図１及び図４の貨幣管理装置の予備収納庫の斜視図である。
【図８】図１及び図４の貨幣管理装置の機能ブロック図である。
【図９】出納機の側での入出金操作準備プロセスの一例のフローチャートである。
【図１０】現金管理装置における入出金操作準備プロセスの一例のフローチャートである。
【図１１】本発明の実施の一形態に係る貨幣管理システム及び貨幣管理方法による在高管理の全体像を模式的に表した説明図である。
【図１２】本発明の実施の一形態に係る貨幣管理システムにおいて管理される各在高を表示するための選択メニュー表示例である。
【図１３】本発明の実施の一形態に係る貨幣管理システム及び貨幣管理方法において行うことができる運用方法の例を示す説明図である。
【図１４】貨幣管理装置２００での入出金操作時における出納機１００と貨幣管理装置２００との間のデータ送受信及び動作（操作）手順を模式的に表した説明図である。
【図１５】本発明の実施の一形態に係る貨幣管理システム及び貨幣管理方法において行われる出納機及び貨幣管理装置での連携処理情報を含む各種情報処理の流れを模式的に表した説明図である。
【図１６】本発明の実施の一形態に係る貨幣管理システム及び貨幣管理方法において作成及び更新される連携処理情報の内容の例を示す説明図である。
【図１７】本発明の実施の一形態に係る貨幣管理システム及び貨幣管理方法において作成及び更新される連携処理情報の内容の例を示す説明図である。
【図１８】出納機及び貨幣管理装置による連携処理を行う場合における貨幣管理装置の画面表示例を示す説明図である。
【図１９】出納機及び貨幣管理装置による連携処理を行う場合における貨幣管理装置の画面表示例を示す説明図である。
【図２０】貨幣管理装置のメニュー選択画面表示例を示す説明図である。
【図２１】貨幣管理装置から取得した簡略合計のデータ内容の例と出納機が管理している連携処理情報から計算した取引集計結果の内容の例とを示す説明図である。
【図２２】貨幣管理装置の取引履歴照会により未処理チェックを行う際の画面表示例を示す説明図である。
【図２３】本発明の実施の一形態に係る貨幣管理システム及び貨幣管理方法における締め作業時のデータクリア処理の手順を模式的に表した説明図である。
【図２４】本発明の実施の一形態に係る貨幣管理システム及び貨幣管理方法における出納機１００での電子ジャーナル照会の際の電子ジャーナルファイル取得の手順を模式的に表した説明図である。
【図２５】設定変更のためのユーザ設定メニューの画面表示例を示す説明図である。
【図２６】ステータスの変更対象となる連携処理情報を特定するための連携番号入力を受け付ける画面表示例を示す説明図である。
【図２７】連携処理情報の画面表示例（Ａ）及び（Ｂ）並びに連携処理情報のステータス変更の確認画面表示例（Ｃ）を示す説明図である。
【符号の説明】
【０２３２】
１００  出納機
２００  現金管理装置
３００  貨幣管理システム
４００  処理情報管理データベース
１１  紙幣処理装置
Ｐ１  束紙幣処理部
Ｐ２  バラ紙幣処理部
１２  バラ硬貨処理装置
１３  包装硬貨処理装置
１４  現金外ボックス
１５  制御部
１５ａ  表示部
１５ｂ  ＩＤカードリーダ
１５ｃ  制御本体部
１５ｄ  ＲＯＭ
１５ｅ  ＲＡＭ
１５ｆ  フレキシブルディスクドライブ
１５ｇ  ハードディスクドライブ
１６  キーボード式操作部
１８  外部プリンタ
１９  通信インタフェース（通信ＩＦ）
２１  束紙幣出金口
２２  バラ紙幣出金口
２３  包装硬貨出金口
２４  バラ硬貨出金口
２１１  第１紙幣収納ドロア
２１２  第２硬貨収納ドロア
２１３  第１紙幣収納ドロア
２１４  第２硬貨収納ドロア
２１５  予備収納庫
２１１ｍ〜２１５ｍ  開閉電磁ロック
２２１〜２２４  紙幣保管容器
２４１〜２４３  硬貨保管容器
２６１  ロードセル
２２５  制御装置（制御手段）
２２５ｄ  ＲＯＭ
２２５ｅ  ＲＡＭ
２２５ｇ  ハードディスクドライブ
２２５ｃ  制御演算部
２２６  キーボード式操作部
２２７  表示部
２２８  ＩＤカードリーダ
２２９  通信インタフェース（通信ＩＦ）
【図１】
2010122891.tif 000003
【図２】
2010122891.tif 000004
【図３】
2010122891.tif 000005
【図４】
2010122891.tif 000006
【図５】
2010122891.tif 000007
【図６】
2010122891.tif 000008
【図７】
2010122891.tif 000009
【図８】
2010122891.tif 000010
【図９】
2010122891.tif 000011
【図１０】
2010122891.tif 000012
【図１１】
2010122891.tif 000013
【図１２】
2010122891.tif 000014
【図１３】
2010122891.tif 000015
【図１４】
2010122891.tif 000016
【図１５】
2010122891.tif 000017
【図１６】
2010122891.tif 000018
【図１７】
2010122891.tif 000019
【図１８】
2010122891.tif 000020
【図１９】
2010122891.tif 000021
【図２０】
2010122891.tif 000022
【図２１】
2010122891.tif 000023
【図２２】
2010122891.tif 000024
【図２３】
2010122891.tif 000025
【図２４】
2010122891.tif 000026
【図２５】
2010122891.tif 000027
【図２６】
2010122891.tif 000028
【図２７】
2010122891.tif 000029